(57)【要約】【課題】ウェイクアップ無線信号と無線ＬＡＮ信号の両方を送信するアクセスポイントに接続するステーションが、ウェイクアップ無線信号の受信失敗により待機モードからの復帰を失敗してしまうこと。【解決手段】本発明のアクセスポイント装置とステーション装置の間で待機状態に移行するためのシグナリング直後、アクセスポイント装置がウェイクアップ無線信号を送信し、該ウェイクアップ無線信号の到達確認後に待機状態に移行することを特徴とする。【選択図】  図９
2020205461.tif 000002
【特許請求の範囲】
【請求項１】
第１のステーション装置を含む複数のステーション装置と接続して無線通信を行うアクセスポイント装置であって、
無線ＬＡＮ信号とウェイクアップ無線信号を送信する送信ＲＦ部と、
キャリアセンスと無線ＬＡＮ信号の受信を行なう受信ＲＦ部と、
送信信号と受信信号を制御する制御部を備え、
前記制御部が無線ＬＡＮ信号を使用して、前記第１のステーション装置との間でＷＵＲ移行のためのシグナリングを行い、
前記シグナリング後のＷＵＲ移行状態において前記受信ＲＦ部を使用してキャリアセンスを行い、
前記キャリアセンス後に送信ＲＦ部を使用してウェイクアップ無線信号を送信する事で、前記第１のステーション装置を、前記ウェイクアップ無線を使用するＷＵ無線待機状態に移行させることを特徴とする、アクセスポイント装置。
【請求項２】
前記制御部は、前記ウェイクアップ無線信号を送信後、
前記受信ＲＦ部で無線ＬＡＮ信号を使用したウェイクアップ無線回復要求パケットを受信し、
前記ウェイクアップ無線回復要求パケットを受信した後に前記ウェイクアップ無線信号を再送信するように制御することを特徴とする、請求項１に記載のアクセスポイント装置。
【請求項３】
前記制御部は、前記再送信時に前記ウェイクアップ無線のＭＣＳを再設定するように制御することを特徴とする、請求項２に記載のアクセスポイント装置。
【請求項４】
前記ＷＵＲ移行状態で送信するウェイクアップ無線信号は、前記第１のステーション装置がＷＵ無線待機状態のときに使用するウェイクアップ無線信号と異なる事を特徴とする、請求項１から請求項３に記載のアクセスポイント装置。
【請求項５】
前記ＷＵＲ移行状態で送信するウェイクアップ無線信号の無線フレームの長さは、前記第１のステーション装置がＷＵ無線待機状態の時に使用するウェイクアップ無線信号の無線フレームの長さより短い事を特徴とする請求項４に記載のアクセスポイント装置。
【請求項６】
アクセスポイント装置と接続して無線通信を行うステーション装置であって、
無線ＬＡＮ信号を送信する送信ＲＦ部と、
キャリアセンスと無線ＬＡＮ信号とウェイクアップ無線信号を受信する受信ＲＦ部と、
送信信号と受信信号を制御する制御部を備え、
前記制御部が無線ＬＡＮ信号を使用して前記アクセスポイント装置との間でＷＵＲ移行のためのシグナリングを行い、
前記シグナリング後のＷＵＲ移行状態において前記受信ＲＦ部を使用してウェイクアップ無線信号を受信し、
前記ウェイクアップ無線信号を受信した後に該ステーション装置を、ウェイクアップ無線信号を使用するＷＵ無線待機状態に移行させる制御を行う制御部を備える事を特徴とするステーション装置。
【請求項７】
前記制御部は、前記ＷＵＲ移行状態の所定の時間内に前記ウェイクアップ無線信号を受信しなかったときに、
前記送信ＲＦ部を使用して、無線ＬＡＮ信号を使用するウェイクアップ無線回復要求パケットを送信する事を特徴とする、請求項６に記載のステーション装置。
【請求項８】
前記制御部は、前記ウェイクアップ無線回復要求パケットを送信後、無線ＬＡＮ信号を使用する前記ウェイクアップ無線回復要求パケットに対する確認応答を受信した後、
前記受信ＲＦ部を使用してウェイクアップ無線信号を受信した時に、該ステーション装置を、ウェイクアップ無線信号を使用するＷＵ無線待機状態に移行させる事を特徴とする請求項７に記載のステーション装置。
【請求項９】
第１のステーション装置を含む複数のステーション装置と接続して無線通信を行うアクセスポイント装置の通信方法であって、
無線ＬＡＮ信号を送信するステップと、
ウェイクアップ無線信号を送信するステップと、
キャリアセンスを行うステップと、
無線ＬＡＮ信号を受信するステップとを備え、
無線ＬＡＮ信号を使用して前記第１のステーション装置との間でＷＵＲ移行のためのシグナリングを行い、
前記シグナリング後のＷＵＲ移行状態においてキャリアセンスを行い、
前記キャリアセンス後にウェイクアップ無線信号を送信する事で前記第１のステーション装置を、前記ウェイクアップ無線を使用するＷＵ無線待機状態に移行させることを特徴とする、通信方法。
【請求項１０】
アクセスポイント装置と接続して無線通信を行うステーション装置の通信方法であって、
無線ＬＡＮ信号を送信するステップと、
キャリアセンスを行うステップと、
無線ＬＡＮ信号を受信するステップと、
ウェイクアップ無線信号を受信するステップとを備え、
無線ＬＡＮ信号を使用して前記アクセスポイント装置との間でＷＵＲ移行のためのシグナリングを行い、
前記シグナリング後のＷＵＲ移行状態においてウェイクアップ無線信号を受信し、
前記ウェイクアップ無線信号を受信した後に該ステーション装置を、ウェイクアップ無線信号を使用するＷＵ無線待機状態に移行させる事を特徴とする通信方法。
【発明の詳細な説明】
【技術分野】
【０００１】
本発明は、アクセスポイント装置、ステーション装置、ならびに通信方法に関する。
【背景技術】
【０００２】
近年、比較的自由に使用できる自営の端末装置、基地局装置を少なくとも含んで構成される無線通信システムの利用が進んでおり、いわゆる無線ＬＡＮをはじめとする様々な形態で様々な用途に用いられている。特に無線ＬＡＮは導入の難易度が低く、インターネットへの接続を確保するネットワーク形態や、外部から隔離されたネットワーク形態のどちらにも適用可能で、広い用途に使用されている。無線ＬＡＮは、普及当初は通信速度が１Ｍｂｐｓ程度であったが、技術の進歩と共に高速化が進み、基地局装置における通信データの総スループットは１Ｇｂｐｓを超えている（非特許文献１）。
【０００３】
一方無線ＬＡＮとは異なり、通信速度の高速化よりも端末装置の消費電力を低減することを主眼とした無線通信システムの利用も進んでいる。このような無線通信システムとしては、Ｂｌｕｅｔｏｏｔｈ（登録商標）やＺＩＧＢＥＥ（登録商標）などがあり、主に電池を電源として使用するシステムに使用されている。
【０００４】
無線ＬＡＮの普及が広がるに従い、無線ＬＡＮを、電池を電源とする機器に導入することの要求が増えている。現在の無線ＬＡＮは待機時間を増やすパワーセーブ動作が規定されているが、消費電力を減らすためには待機時間を増やすしかなく、この事は通信データが発生した際に通信が可能となるまでの待ち時間、すなわちレイテンシの増大を意味し、ユーザー体験を著しく低下させる原因となっている。
【０００５】
そこで、最近、無線ＬＡＮの物理層に低電力で動作する無線機能を付加し、待機時間にこの付加した無線機能を用いる事で、低消費電力と待機時間の短縮化を図る通信システムの標準化活動が行われている（非特許文献２）。
【先行技術文献】
【非特許文献】
【０００６】
【非特許文献１】ＩＥＥＥ  ｓｔｄ  ８０２．１１−２０１６
【非特許文献２】ＩＥＥＥ  Ｐ８０２．１１，Ａ  ＰＡＲ  Ｐｒｏｐｏｓａｌ  ｆｏｒ  Ｗａｋｅ−ｕｐ  ｒａｄｉｏ
【発明の概要】
【発明が解決しようとする課題】
【０００７】
新しい通信システムの規格化に際し、既存規格との共存が重要な課題となる。しかし、付加された無線機能で扱われる信号フレームは、既存の無線ＬＡＮで扱われる信号フレームと異なる信号波形が用いられることが検討されている。そのため、既存の無線ＬＡＮ信号による通信距離と付加された無線機能による通信距離が異なる事があり、通信距離限界付近に配置された無線ＬＡＮ端末装置が待機状態から復帰する際に問題が発生する事がある。特に付加された無線機能による通信距離が既存の無線ＬＡＮ信号による通信距離より短い場合、待機状態に移行した無線ＬＡＮ端末装置が付加された無線機能の信号を受信することが出来ず、通信が必要な時に復帰できない場合が発生する。
【０００８】
本発明は以上の課題を鑑みてなされたものであり、その目的は、規格の異なる信号フレームの未到達に起因する待機状態からの復帰失敗を回避する、アクセスポイント装置、ステーション装置、および通信方法を開示するものである。
【課題を解決するための手段】
【０００９】
（１）上記の目的を達成するために、本発明の一観点によれば、第１のステーション装置を含む複数のステーション装置と接続して無線通信を行うアクセスポイント装置であって、無線ＬＡＮ信号とウェイクアップ無線信号を送信する送信ＲＦ部と、キャリアセンスと無線ＬＡＮ信号の受信を行なう受信ＲＦ部と、送信信号と受信信号を制御する制御部を備え、前記制御部が無線ＬＡＮ信号を使用して、前記第１のステーション装置との間でＷＵＲ移行のためのシグナリングを行い、前記シグナリング後のＷＵＲ移行状態において前記受信ＲＦ部を使用してキャリアセンスを行い、前記キャリアセンス後に送信ＲＦ部を使用してウェイクアップ無線信号を送信する事で、前記第１のステーション装置を、前記ウェイクアップ無線を使用するＷＵ無線待機状態に移行させることを特徴とする、アクセスポイント装置が提供される。
【００１０】
（２）また、本発明の他の観点によれば、前記制御部は、前記ウェイクアップ無線信号を送信後、前記受信ＲＦ部で無線ＬＡＮ信号を使用したウェイクアップ無線回復要求パケットを受信し、前記ウェイクアップ無線回復要求パケットを受信した後に前記ウェイクアップ無線信号を再送信するように制御することを特徴とする、アクセスポイント装置が提供される。
【００１１】
（３）また、本発明の他の観点によれば、前記制御部は、前記再送信時に前記ウェイクアップ無線のＭＣＳを再設定するように制御することを特徴とする、アクセスポイント装置が提供される。
【００１２】
（４）また、本発明の他の観点によれば、前記ＷＵＲ移行状態で送信するウェイクアップ無線信号は、前記第１のステーション装置がＷＵ無線待機状態のときに使用するウェイクアップ無線信号と異なる事を特徴とする、アクセスポイント装置が提供される。
【００１３】
（５）また、本発明の他の観点によれば、前記ＷＵＲ移行状態で送信するウェイクアップ無線信号の無線フレームの長さは、前記第１のステーション装置がＷＵ無線待機状態の時に使用するウェイクアップ無線信号の無線フレームの長さより短い事を特徴とする、アクセスポイント装置が提供される。
【００１４】
（６）また、本発明の他の観点によれば、アクセスポイント装置と接続して無線通信を行うステーション装置であって、無線ＬＡＮ信号を送信する送信ＲＦ部と、キャリアセンスと無線ＬＡＮ信号とウェイクアップ無線信号を受信する受信ＲＦ部と、送信信号と受信信号を制御する制御部を備え、前記制御部が無線ＬＡＮ信号を使用して前記アクセスポイント装置との間でＷＵＲ移行のためのシグナリングを行い、前記シグナリング後のＷＵＲ移行状態において前記受信ＲＦ部を使用してウェイクアップ無線信号を受信し、前記ウェイクアップ無線信号を受信した後に該ステーション装置を、ウェイクアップ無線信号を使用するＷＵ無線待機状態に移行させる制御を行う制御部を備える事を特徴とするステーション装置が提供される。
【００１５】
（７）また、本発明の他の観点によれば、前記制御部は、前記ＷＵＲ移行状態の所定の時間内に前記ウェイクアップ無線信号を受信しなかったときに、前記送信ＲＦ部を使用して、無線ＬＡＮ信号を使用するウェイクアップ無線回復要求パケットを送信する事を特徴とするステーション装置が提供される。
【００１６】
（８）また、本発明の他の観点によれば、前記制御部は、前記ウェイクアップ無線回復要求パケットを送信後、無線ＬＡＮ信号を使用する前記ウェイクアップ無線回復要求パケ
ットに対する確認応答を受信した後、前記受信ＲＦ部を使用してウェイクアップ無線信号を受信した時に、該ステーション装置を、ウェイクアップ無線信号を使用するＷＵ無線待機状態に移行させる事を特徴とするステーション装置が提供される。
【００１７】
（９）また、本発明の他の観点によれば、第１のステーション装置を含む複数のステーション装置と接続して無線通信を行うアクセスポイント装置の通信方法であって、無線ＬＡＮ信号を送信するステップと、ウェイクアップ無線信号を送信するステップと、キャリアセンスを行うステップと、無線ＬＡＮ信号を受信するステップとを備え、無線ＬＡＮ信号を使用して前記第１のステーション装置との間でＷＵＲ移行のためのシグナリングを行い、前記シグナリング後のＷＵＲ移行状態においてキャリアセンスを行い、前記キャリアセンス後にウェイクアップ無線信号を送信する事で前記第１のステーション装置を、前記ウェイクアップ無線を使用するＷＵ無線待機状態に移行させることを特徴とする通信方法が提供される。
【００１８】
（１０）また、本発明の他の観点によれば、アクセスポイント装置と接続して無線通信を行うステーション装置の通信方法であって、無線ＬＡＮ信号を送信するステップと、キャリアセンスを行うステップと、無線ＬＡＮ信号を受信するステップと、ウェイクアップ無線信号を受信するステップとを備え、無線ＬＡＮ信号を使用して前記アクセスポイント装置との間でＷＵＲ移行のためのシグナリングを行い、前記シグナリング後のＷＵＲ移行状態においてウェイクアップ無線信号を受信し、前記ウェイクアップ無線信号を受信した後に該ステーション装置を、ウェイクアップ無線信号を使用するＷＵ無線待機状態に移行させる事を特徴とする通信方法が提供される。
【発明の効果】
【００１９】
本発明によれば、ウェイクアップ無線信号の受信失敗により、ステーション装置規格が待機状態から復帰に失敗する可能性を大幅に低減するアクセスポイント装置、ステーション装置、および通信方法が提供されるから、無線ＬＡＮデバイスの利用効率の改善に寄与することができる。
【図面の簡単な説明】
【００２０】
【図１】本発明の一実施形態の機器構成例を示す図である。
【図２】ＩＥＥＥ８０２．１１ａｃ規格のＰＰＤＵ構成を示す図である。
【図３】Ｌ−ＳＩＧ  Ｄｕｌａｔｉｏｎの一例を示す図である。
【図４】本発明の一実施形態の周波数リソース分割の一例を示す図である。
【図５】本発明の一実施形態のＰＰＤＵの構成の一例を示す図である。
【図６】本発明の一実施形態のフレーム送信の一例を示す図である。
【図７】本発明の一実施形態のＷＵ無線フレームの構成例を示す図である。
【図８】本発明の一実施形態のチャネルアクセスの一例を示す図である。
【図９】本発明の一実施形態におけるメッセージフローを示す図である。
【図１０】本発明の一実施形態におけるメッセージフローを示す図である。
【図１１】本発明の一実施形態における動作概要を示すシーケンスチャートを示す図である。
【図１２】本発明の一実施形態で使用するステーションの構成の一例を示すブロック図である。
【図１３】本発明の一実施形態で使用するステーションの構成の一例を示すブロック図である。
【図１４】本発明の一実施形態で使用するＷＵ無線信号の構成の一例を示す図である。
【図１５】本発明の一実施形態で使用するＷＵ無線信号の構成の一例を示す図である。
【図１６】本発明の一実施形態で使用するステーションの処理を示すフローチャート図である。
【図１７】本発明の一実施形態で使用するステーションの処理を示すフローチャート図である。
【図１８】本発明の一実施形態で使用するアクセスポイントの処理を示すフローチャート図である。
【図１９】本発明の一実施形態で使用するアクセスポイントの処理を示すフローチャート図である。
【図２０】本発明の一実施形態で使用するＷＵ無線フレームの構成の一例を示す図である。
【発明を実施するための形態】
【００２１】
以下、本発明の実施形態による無線通信技術について図面を参照しながら詳細に説明する。
【００２２】
本実施形態における通信システムは、無線送信装置（アクセスポイント: Access point、基地局装置、アクセスポイント装置）、および複数の無線受信装置（ステーション: station、端末装置、ステーション装置）を備える。また、基地局装置と端末装置とで構成
されるネットワークを基本サービスセット（BSS: Basic service set、管理範囲）と呼ぶ。また、基地局装置と、端末装置をまとめて、無線装置とも呼称する。端末装置は、基地局装置が備える機能を備えることができる。
【００２３】
ＢＳＳ内の基地局装置および端末装置は、それぞれＣＳＭＡ／ＣＡ（Carrier sense multiple access with collision avoidance）に基づいて、通信を行なうものとする。本実施形態においては、基地局装置が複数の端末装置と通信を行なうインフラストラクチャモードを対象とするが、本実施形態の方法は、端末装置同士が通信を直接行なうアドホックモードでも実施可能である。アドホックモードでは、端末装置が、基地局装置の代わりとなりＢＳＳを形成する。アドホックモードにおけるＢＳＳを、ＩＢＳＳ（Independent Basic Service Set）とも呼称する。以下では、アドホックモードにおいてＩＢＳＳを形成
する端末装置を、基地局装置とみなすこともできる。
【００２４】
ＩＥＥＥ８０２．１１システムでは、各装置は、共通のフレームフォーマットを持った複数のフレームタイプの送信フレームを送信することが可能である。送信フレームは、物理（Physical：ＰＨＹ）層、媒体アクセス制御（Medium access control：ＭＡＣ）層、
論理リンク制御（LLC: Logical Link Control）層、でそれぞれ定義されている。
【００２５】
ＰＨＹ層の送信フレームは、物理プロトコルデータユニット（PPDU: PHY protocol data unit、物理層フレーム）と呼ばれる。ＰＰＤＵは、物理層での信号処理を行なうためのヘッダ情報等が含まれる物理層ヘッダ（PHYヘッダ）と、物理層で処理されるデータユニ
ットである物理サービスデータユニット（PSDU: PHY service data unit）等から構成さ
れる。ＰＳＤＵは無線区間における再送単位となるＭＡＣプロトコルデータユニット（MPDU: MAC protocol data unit）が複数集約された集約ＭＰＤＵ（A-MPDU: Aggregated MPDU）で構成されることが可能である。
【００２６】
ＰＨＹヘッダには、信号の検出・同期等に用いられるショートトレーニングフィールド（STF: Short training field）、データ復調のためのチャネル情報を取得するために用
いられるロングトレーニングフィールド（LTF: Long training field）などの参照信号と、データ復調のための制御情報が含まれているシグナル（Signal：ＳＩＧ）などの制御信号が含まれる。また、ＳＴＦは、対応する規格に応じて、レガシーＳＴＦ（L-STF: Legacy-STF）や、高スループットＳＴＦ（HT-STF: High throughput-STF）や、超高スループッ
トＳＴＦ（VHT-STF: Very high throughput-STF）や、高効率ＳＴＦ（HE-STF: High efficiency-STF）等に分類され、ＬＴＦやＳＩＧも同様にＬ−ＬＴＦ、ＨＴ−ＬＴＦ、ＶＨＴ−ＬＴＦ、ＨＥ−ＬＴＦ、Ｌ−ＳＩＧ、ＨＴ−ＳＩＧ、ＶＨＴ−ＳＩＧ、ＨＥ−ＳＩＧに分類される。ＶＨＴ−ＳＩＧは更にＶＨＴ−ＳＩＧ−Ａ１とＶＨＴ−ＳＩＧ−Ａ２とＶＨＴ−ＳＩＧ−Ｂに分類される。同様に、ＨＥ−ＳＩＧは、ＨＥ−ＳＩＧ−Ａ１〜４と、ＨＥ−ＳＩＧ−Ｂに分類される。
【００２７】
さらに、ＰＨＹヘッダは当該送信フレームの送信元のＢＳＳを識別する情報（以下、ＢＳＳ識別情報とも呼称する）を含むことができる。ＢＳＳを識別する情報は、例えば、当該ＢＳＳのＳＳＩＤ（Service Set Identifier）や当該ＢＳＳの基地局装置のＭＡＣアドレスであることができる。また、ＢＳＳを識別する情報は、ＳＳＩＤやＭＡＣアドレス以外の、ＢＳＳに固有な値（例えばＢＳＳ  Ｃｏｌｏｒ等）であることができる。
【００２８】
ＰＰＤＵは対応する規格に応じて変調される。例えば、ＩＥＥＥ８０２．１１ｎ規格であれば、直交周波数分割多重（OFDM: Orthogonal frequency division multiplexing）信号に変調される。例えば、ＩＥＥＥ８０２．１１ａｄ規格であれば、シングルキャリア信号に変調されることもできる。
【００２９】
ＭＰＤＵはＭＡＣ層での信号処理を行なうためのヘッダ情報等が含まれるＭＡＣ層ヘッダ（MAC header）と、ＭＡＣ層で処理されるデータユニットであるＭＡＣサービスデータユニット（MSDU: MAC service data unit）もしくはフレームボディ、ならびにフレーム
に誤りがないかをどうかをチェックするフレーム検査部（Frame check sequence：ＦＣＳ）で構成されている。また、複数のＭＳＤＵは集約ＭＳＤＵ（A-MSDU: Aggregated MSDU
）として集約されることも可能である。
【００３０】
ＭＡＣ層の送信フレームのフレームタイプは、装置間の接続状態などを管理するマネージメントフレーム、装置間の通信状態を管理するコントロールフレーム、および実際の送信データを含むデータフレームの３つに大きく分類され、それぞれは更に複数種類のサブフレームタイプに分類される。コントロールフレームには、受信完了通知（Ack: Acknowledge）フレーム、送信要求（RTS: Request to send）フレーム、受信準備完了（CTS: Clear to send）フレーム等が含まれる。マネージメントフレームには、ビーコン（Beacon）フレーム、プローブ要求（Probe request）フレーム、プローブ応答（Probe response）
フレーム、認証（Authentication）フレーム、接続要求（Association request）フレー
ム、接続応答（Association response）フレーム等が含まれる。データフレームには、データ（Data）フレーム、ポーリング（CF-poll）フレーム等が含まれる。各装置は、ＭＡ
Ｃヘッダに含まれるフレームコントロールフィールドの内容を読み取ることで、受信したフレームのフレームタイプおよびサブフレームタイプを把握することができる。
【００３１】
なお、Ａｃｋには、Ｂｌｏｃｋ  Ａｃｋが含まれても良い。Ｂｌｏｃｋ  Ａｃｋは、複数のＭＰＤＵに対する受信完了通知を実施可能である。
【００３２】
ビーコンフレームには、ビーコンが送信される周期（Beacon interval）やＳＳＩＤを
記載するフィールド（Field）が含まれる。基地局装置は、ビーコンフレームを周期的に
ＢＳＳ内に報知することが可能であり、端末装置はビーコンフレームを受信することで、端末装置周辺の基地局装置を把握することが可能である。端末装置が基地局装置より報知されるビーコンフレームに基づいて基地局装置を把握することを受動的スキャニング（Passive scanning）と呼ぶ。一方、端末装置がプローブ要求フレームをＢＳＳ内に報知することで、基地局装置を探査することを能動的スキャニング（Active scanning）と呼ぶ。
基地局装置は該プローブ要求フレームへの応答としてプローブ応答フレームを送信することが可能であり、該プローブ応答フレームの記載内容は、ビーコンフレームと同等である
。
【００３３】
端末装置は基地局装置を認識したあとに、該基地局装置に対して接続処理を行なう。接続処理は認証（Authentication）手続きと接続（Association）手続きに分類される。端
末装置は接続を希望する基地局装置に対して、認証フレーム（認証要求）を送信する。基地局装置は、認証フレームを受信すると、該端末装置に対する認証の可否などを示すステータスコードを含んだ認証フレーム（認証応答）を該端末装置に送信する。端末装置は、該認証フレームに記載されたステータスコードを読み取ることで、自装置が該基地局装置に認証を許可されたか否かを判断することができる。なお、基地局装置と端末装置は認証フレームを複数回やり取りすることが可能である。
【００３４】
端末装置は認証手続きに続いて、基地局装置に対して接続手続きを行なうために、接続要求フレームを送信する。基地局装置は接続要求フレームを受信すると、該端末装置の接続を許可するか否かを判断し、その旨を通知するために、接続応答フレームを送信する。接続応答フレームには、接続処理の可否を示すステータスコードに加えて、端末装置を識別するためのアソシエーション識別番号（AID: Association identifier）が記載されて
いる。基地局装置は接続許可を出した端末装置にそれぞれ異なるＡＩＤを設定することで、複数の端末装置を管理することが可能となる。
【００３５】
接続処理が行われたのち、基地局装置と端末装置は実際のデータ伝送を行なう。ＩＥＥＥ８０２．１１システムでは、分散制御機構（DCF: Distributed Coordination Function）と集中制御機構（PCF: Point Coordination Function）、およびこれらが拡張された機構（拡張分散チャネルアクセス（EDCA: Enhanced distributed channel access）や、ハ
イブリッド制御機構(HCF: Hybrid coordination function)等）が定義されている。以下
では、基地局装置が端末装置にＤＣＦで信号を送信する場合を例にとって説明する。
【００３６】
ＤＣＦでは、基地局装置および端末装置は、通信に先立ち、自装置周辺の無線チャネルの使用状況を確認するキャリアセンス（CS: Carrier sense）を行なう。例えば、送信局
である基地局装置は予め定められたクリアチャネル評価レベル（ＣＣＡレベル: Clear channel assessment level）よりも高い信号を該無線チャネルで受信した場合、該無線チャネルでの送信フレームの送信を延期する。以下では、該無線チャネルにおいて、ＣＣＡレベル以上の信号が検出される状態をビジー（Busy）状態、ＣＣＡレベル以上の信号が検出されない状態をアイドル（Idle）状態と呼ぶ。このように、各装置が実際に受信した信号の電力（受信電力レベル）に基づいて行なうＣＳを物理キャリアセンス（物理CS）と呼ぶ。なおＣＣＡレベルをキャリアセンスレベル（CS level）、もしくはＣＣＡ閾値（CCA threshold：ＣＣＡＴ）とも呼ぶ。なお、基地局装置および端末装置は、ＣＣＡレベル以上
の信号を検出した場合は、少なくともＰＨＹ層の信号を復調する動作に入る。そのため、キャリアセンスレベルは、基地局装置および端末装置が、受信したフレームを正しく復調できる最小の受信電力（最小受信感度）ということもできる。
【００３７】
基地局装置は送信する送信フレームに種類に応じたフレーム間隔（IFS: Inter frame space）だけキャリアセンスを行ない、無線チャネルがビジー状態かアイドル状態かを判断する。基地局装置がキャリアセンスする期間は、これから基地局装置が送信する送信フレームのフレームタイプおよびサブフレームタイプによって異なる。ＩＥＥＥ８０２．１１システムでは、期間の異なる複数のＩＦＳが定義されており、最も高い優先度が与えられた送信フレームに用いられる短フレーム間隔（SIFS: Short IFS）、優先度が比較的高い
送信フレームに用いられるポーリング用フレーム間隔（PCF IFS: ＰＩＦＳ）、最も優先
度の低い送信フレームに用いられる分散制御用フレーム間隔（DCF IFS: ＤＩＦＳ）があ
り、優先度の高い送信フレームに用いられるＩＦＳの方が、期間は短い。基地局装置がＤＣＦでデータフレームを送信する場合、基地局装置はＤＩＦＳを用いる。なお、ＥＤＣＡ
においては、調停フレーム間隔（AIFS：Arbitration IFS）が利用可能であり、ＡＩＦＳ
では、基地局装置が送信するフレームに設定されるアクセスカテゴリー（AC：Access category）毎に、異なる期間を設定することが可能であり、フレームの優先度を更に柔軟に
設定可能となる。
【００３８】
基地局装置はＤＩＦＳだけ待機したあとで、フレームの衝突を防ぐためのランダムバックオフ時間だけ更に待機する。ＩＥＥＥ８０２．１１システムにおいては、コンテンションウィンドウ（CW: Contention window）と呼ばれるランダムバックオフ時間が用いられ
る。ＣＳＭＡ／ＣＡでは、ある送信局が送信した送信フレームは、他送信局からの干渉が無い状態で受信局に受信されることを前提としている。そのため、送信局同士が同じタイミングで送信フレームを送信してしまうと、フレーム同士が衝突してしまい、受信局は正しく受信することができない。そこで、各送信局が送信開始前に、ランダムに設定される時間だけ待機することで、フレームの衝突が回避される。基地局装置はキャリアセンスによって無線チャネルがアイドル状態であると判断すると、ＣＷのカウントダウンを開始し、ＣＷが０となって初めて送信権を獲得し、端末装置に送信フレームを送信できる。なお、ＣＷのカウントダウン中に基地局装置がキャリアセンスによって無線チャネルをビジー状態と判断した場合は、ＣＷのカウントダウンを停止する。そして、無線チャネルがアイドル状態となった場合、先のＩＦＳに続いて、基地局装置は残留するＣＷのカウントダウンを再開する。
【００３９】
受信局である端末装置は、送信フレームを受信し、該送信フレームのＰＨＹヘッダを読み取り、受信した送信フレームを復調する。そして、端末装置は復調した信号のＭＡＣヘッダを読み取ることで、該送信フレームが自装置宛てのものか否かを認識することができる。なお、端末装置は、ＰＨＹヘッダに記載の情報（例えばVHT-SIG-Aの記載されるグル
ープ識別番号(GID: Group identifier, Group ID)）に基づいて、該送信フレームの宛先
を判断することも可能である。
【００４０】
端末装置は、受信した送信フレームが自装置宛てのものと判断し、そして誤りなく送信フレームを復調できた場合、フレームを正しく受信できたことを示すＡＣＫフレームを送信局である基地局装置に送信しなければならない。ＡＣＫフレームは、ＳＩＦＳ期間の待機だけ（ランダムバックオフ時間は取られない）で送信される最も優先度の高い送信フレームの一つである。基地局装置は端末装置から送信されるＡＣＫフレームの受信をもって、一連の通信を終了する。なお、端末装置がフレームを正しく受信できなかった場合、端末装置はＡＣＫを送信しない。よって基地局装置は、フレーム送信後、一定期間（ＳＩＦＳ＋ＡＣＫフレーム長）の間、受信局からのＡＣＫフレームを受信しなかった場合、通信は失敗したものとして、通信を終了する。このように、ＩＥＥＥ８０２．１１システムの１回の通信（バーストとも呼ぶ）の終了は、ビーコンフレームなどの報知信号の送信の場合や、送信データを分割するフラグメンテーションが用いられる場合などの特別な場合を除き、必ずＡＣＫフレームの受信の有無で判断されることになる。
【００４１】
端末装置は、受信した送信フレームが自装置宛てのものではないと判断した場合、ＰＨＹヘッダ等に記載されている該送信フレームの長さ（Length）に基づいて、ネットワークアロケーションベクタ（NAV: Network allocation vector）を設定する。端末装置は、ＮＡＶに設定された期間は通信を試行しない。つまり、端末装置は物理ＣＳによって無線チャネルがビジー状態と判断した場合と同じ動作をＮＡＶに設定された期間行なうことになるから、ＮＡＶによる通信制御は仮想キャリアセンス（仮想CS）とも呼ばれる。ＮＡＶは、ＰＨＹヘッダに記載の情報に基づいて設定される場合に加えて、隠れ端末問題を解消するために導入される送信要求（RTS: Request to send）フレームや、受信準備完了（CTS:
Clear to send）フレームによっても設定される。
【００４２】
各装置がキャリアセンスを行ない、自律的に送信権を獲得するＤＣＦに対して、ＰＣＦは、ポイントコーディネータ（PC: Point coordinator）と呼ばれる制御局が、ＢＳＳ内
の各装置の送信権を制御する。一般に基地局装置がＰＣとなり、ＢＳＳ内の端末装置の送信権を獲得することになる。
【００４３】
ＰＣＦによる通信期間には、非競合期間（CFP: Contention free period）と競合期間
（CP: Contention period）が含まれる。ＣＰの間は、前述してきたＤＣＦに基づいて通
信が行われ、ＰＣが送信権を制御するのはＣＦＰの間となる。ＰＣである基地局装置は、ＣＦＰの期間（CFP Max duration）などが記載されたビーコンフレームをＰＣＦの通信に先立ちＢＳＳ内に報知する。なお、ＰＣＦの送信開始時に報知されるビーコンフレームの送信にはＰＩＦＳが用いられ、ＣＷを待たずに送信される。該ビーコンフレームを受信した端末装置は、該ビーコンフレームに記載されたＣＦＰの期間をＮＡＶに設定する。以降、ＮＡＶが経過する、もしくはＣＦＰの終了をＢＳＳ内に報知する信号（例えばCF-endを含んだデータフレーム）が受信されるまでは、端末装置はＰＣより送信される送信権獲得をシグナリングする信号（例えばCF-pollを含んだデータフレーム）を受信した場合のみ
、送信権を獲得可能である。なお、ＣＦＰの期間内では、同一ＢＳＳ内でのパケットの衝突は発生しないから、各端末装置はＤＣＦで用いられるランダムバックオフ時間を取らない。
【００４４】
無線媒体は複数のリソースユニット（Resource unit：ＲＵ）に分割されることができ
る。図４は無線媒体の分割状態の１例を示す概要図である。例えば、リソース分割例１では、無線通信装置は無線媒体である周波数リソース（サブキャリア）を９個のＲＵに分割することができる。同様に、リソース分割例２では、無線通信装置は無線媒体であるサブキャリアを５個のＲＵに分割することができる。当然ながら、図４に示すリソース分割例はあくまで１例であり、例えば、複数のＲＵはそれぞれ異なるサブキャリア数によって構成されることも可能である。また、ＲＵとして分割される無線媒体には周波数リソースだけではなく空間リソースも含まれることができる。無線通信装置（例えばＡＰ）は、各ＲＵに異なる端末装置宛てのフレームを配置することで、複数の端末装置（例えば複数のＳＴＡ）に同時にフレームを送信することができる。ＡＰは、無線媒体の分割の状態を示す情報（Resource allocation information）を、共通制御情報として、自装置が送信する
フレームのＰＨＹヘッダに記載することができる。更に、ＡＰは、各ＳＴＡ宛てのフレームが配置されたＲＵを示す情報（resource unit assignment information）を、固有制御情報として、自装置が送信するフレームのＰＨＹヘッダに記載することができる。
【００４５】
また、複数の端末装置（例えば複数のＳＴＡ）は、それぞれ割り当てられたＲＵにフレームを配置して送信することで、同時にフレームを送信することができる。複数のＳＴＡは、ＡＰから送信されるトリガ情報を含んだフレーム（Trigger frame：ＴＦ）を受信し
た後、所定の期間待機したのち、フレーム送信を行なうことができる。各ＳＴＡは、該ＴＦに記載の情報に基づいて自装置に割り当てられたＲＵを把握することができる。また、各ＳＴＡは、該ＴＦを基準としたランダムアクセスによりＲＵを獲得することができる。
【００４６】
ＡＰは、１つのＳＴＡに複数のＲＵを同時に割り当てることができる。該複数のＲＵは、連続するサブキャリアで構成されることも出来るし、不連続のサブキャリアで構成されることも出来る。ＡＰは、１つのＳＴＡに割り当てた複数のＲＵを用いて、１つのフレームを送信することが出来るし、複数のフレームをそれぞれ異なるＲＵに割り当てて送信することができる。該複数のフレームの少なくとも１つは、Ｒｅｓｏｕｒｃｅ  ａｌｌｏｃａｔｉｏｎ  ｉｎｆｏｒｍａｔｉｏｎを送信する複数の端末装置に対する共通の制御情報を含むフレームであることができる。
【００４７】
１つのＳＴＡは、ＡＰより複数のＲＵを割り当てられることができる。ＳＴＡは、割り
当てられた複数のＲＵを用いて、１つのフレームを送信することができる。また、ＳＴＡは割り当てられた複数のＲＵを用いて、複数のフレームをそれぞれ異なるＲＵに割り当てて送信することができる。該複数のフレームは、それぞれ異なるフレームタイプのフレームであることができる。
【００４８】
ＡＰは、１つのＳＴＡに複数のＡＩＤ（Associate ID）を割り当てることができる。ＡＰは、１つのＳＴＡに割り当てた複数のＡＩＤに対して、それぞれＲＵを割り当てることができる。ＡＰは、１つのＳＴＡに割り当てた複数のＡＩＤに対して、それぞれ割り当てたＲＵを用いて、それぞれ異なるフレームを送信することができる。該異なるフレームは、それぞれ異なるフレームタイプのフレームであることができる。
【００４９】
１つのＳＴＡは、ＡＰより複数のＡＩＤ（Associate ID）を割り当てられることができる。１つのＳＴＡは割り当てられた複数のＡＩＤに対して、それぞれＲＵを割り当てられることができる。１つのＳＴＡは、自装置に割り当てられた複数のＡＩＤにそれぞれ割り当てられたＲＵは、全て自装置に割り当てられたＲＵと認識し、該割り当てられた複数のＲＵを用いて、１つのフレームを送信することができる。また、１つのＳＴＡは、該割り当てられた複数のＲＵを用いて、複数のフレームを送信することができる。このとき、該複数のフレームには、それぞれ割り当てられたＲＵに関連付けられたＡＩＤを示す情報を記載して送信することができる。ＡＰは、１つのＳＴＡに割り当てた複数のＡＩＤに対して、それぞれ割り当てたＲＵを用いて、それぞれ異なるフレームを送信することができる。該異なるフレームは、異なるフレームタイプのフレームであることができる。
【００５０】
以下では、基地局装置、端末装置を総称して、無線通信装置とも呼称する。また、ある無線通信装置が別の無線通信装置と通信を行う際にやりとりされる情報をデータ（data）とも呼称する。つまり、無線通信装置は、基地局装置及び端末装置を含む。
【００５１】
無線通信装置は、ＰＰＤＵを送信する機能と受信する機能のいずれか、または両方を備える。図５は、無線通信装置が送信するＰＰＤＵ構成の一例を示した図である。ＩＥＥＥ８０２．１１ａ／ｂ／ｇ規格に対応するＰＰＤＵはＬ−ＳＴＦ、Ｌ−ＬＴＦ、Ｌ−ＳＩＧ及びＤａｔａフレーム（ＭＡＣ  Ｆｒａｍｅ、ＭＡＣフレーム、ペイロード、データ部、データ、情報ビット等）を含んだ構成である。ＩＥＥＥ８０２．１１ｎ規格に対応するＰＰＤＵはＬ−ＳＴＦ、Ｌ−ＬＴＦ、Ｌ−ＳＩＧ、ＨＴ−ＳＩＧ、ＨＴ−ＳＴＦ、ＨＴ−ＬＴＦ及びＤａｔａフレームを含んだ構成である。ＩＥＥＥ８０２．１１ａｃ規格に対応するＰＰＤＵはＬ−ＳＴＦ、Ｌ−ＬＴＦ、Ｌ−ＳＩＧ、ＶＨＴ−ＳＩＧ−Ａ、ＶＨＴ−ＳＴＦ、ＶＨＴ−ＬＴＦ、ＶＨＴ−ＳＩＧ−Ｂ及びＭＡＣフレームの一部あるいは全てを含んだ構成である。ＩＥＥＥ８０２．１１ａｘ標準で検討されているＰＰＤＵは、Ｌ−ＳＴＦ、Ｌ−ＬＴＦ、Ｌ−ＳＩＧ、Ｌ−ＳＩＧが時間的に繰り返されたＲＬ−ＳＩＧ、ＨＥ−ＳＩＧ−Ａ、ＨＥ−ＳＴＦ、ＨＥ−ＬＴＦ、ＨＥ−ＳＩＧ−Ｂ及びＤａｔａフレームの一部あるいは全てを含んだ構成である。
【００５２】
図５中の点線で囲まれているＬ−ＳＴＦ、Ｌ−ＬＴＦ及びＬ−ＳＩＧはＩＥＥＥ８０２．１１規格において共通に用いられる構成である（以下では、Ｌ−ＳＴＦ、Ｌ−ＬＴＦ及びＬ−ＳＩＧをまとめてＬ−ヘッダとも呼称する）。つまり、例えばＩＥＥＥ  ８０２．１１ａ／ｂ／ｇ規格に対応する無線通信装置は、ＩＥＥＥ８０２．１１ｎ／ａｃ規格に対応するＰＰＤＵ内のＬ−ヘッダを適切に受信することが可能である。ＩＥＥＥ  ８０２．１１ａ／ｂ／ｇ規格に対応する無線通信装置は、ＩＥＥＥ８０２．１１ｎ／ａｃ規格に対応するＰＰＤＵを、ＩＥＥＥ  ８０２．１１ａ／ｂ／ｇ規格に対応するＰＰＤＵとみなして受信することができる。
【００５３】
ただし、ＩＥＥＥ  ８０２．１１ａ／ｂ／ｇ規格に対応する無線通信装置はＬ−ヘッダ
の後に続く、ＩＥＥＥ８０２．１１ｎ／ａｃ規格に対応するＰＰＤＵを復調することができないため、送信アドレス（ＴＡ：Ｔｒａｎｓｍｉｔｔｅｒ  Ａｄｄｒｅｓｓ）や受信アドレス（ＲＡ：Ｒｅｃｅｉｖｅｒ  Ａｄｄｒｅｓｓ）やＮＡＶの設定に用いられるＤｕｒａｔｉｏｎ／ＩＤフィールドに関する情報を復調することができない。
【００５４】
ＩＥＥＥ  ８０２．１１ａ／ｂ／ｇ規格に対応する無線通信装置が適切にＮＡＶを設定する（あるいは所定の期間受信動作を行う）ための方法として、ＩＥＥＥ８０２．１１は、Ｌ−ＳＩＧにＤｕｒａｔｉｏｎ情報を挿入する方法を規定している。Ｌ−ＳＩＧ内の伝送速度に関する情報（ＲＡＴＥ  ｆｉｅｌｄ、Ｌ−ＲＡＴＥ  ｆｉｅｌｄ、Ｌ−ＲＡＴＥ、Ｌ＿ＤＡＴＡＲＡＴＥ、Ｌ＿ＤＡＴＡＲＡＴＥ  ｆｉｅｌｄ）、伝送期間に関する情報（ＬＥＮＧＴＨ  ｆｉｅｌｄ、Ｌ−ＬＥＮＧＴＨ  ｆｉｅｌｄ、Ｌ−ＬＥＮＧＴＨ）は、ＩＥＥＥ  ８０２．１１ａ／ｂ／ｇ規格に対応する無線通信装置が適切にＮＡＶを設定するために使用される。
【００５５】
図２は、Ｌ−ＳＩＧに挿入されるＤｕｒａｔｉｏｎ情報とＰＰＤＵ構成の関係の一例を示す図である。図２においては、一例としてＩＥＥＥ８０２．１１ａｃ規格に対応するＰＰＤＵ構成を示しているが、ＰＰＤＵ構成はこれに限定されない。ＩＥＥＥ８０２．１１ｎ規格に対応のＰＰＤＵ構成及びＩＥＥＥ８０２．１１ａｘ規格に対応するＰＰＤＵ構成でも良い。ＴＸＴＩＭＥは、ＰＰＤＵの長さに関する情報を備え、ａＰｒｅａｍｂｌｅＬｅｎｇｔｈは、プリアンブル（Ｌ−ＳＴＦ＋Ｌ−ＬＴＦ）の長さに関する情報を備え、ａＰＬＣＰＨｅａｄｅｒＬｅｎｇｔｈは、ＰＬＣＰヘッダ（Ｌ−ＳＩＧ）の長さに関する情報を備える。次式（１）は、Ｌ＿ＬＥＮＧＴＨの算出方法の一例を示した数式である。
【００５６】
【数１】
2020205461.tif 000003
【００５７】
ここで、Ｓｉｇｎａｌ  Ｅｘｔｅｎｓｉｏｎは、例えばＩＥＥＥ８０２．１１規格の互換性をとるために設定される仮想的な期間であり、Ｎｏｐｓは、Ｌ＿ＲＡＴＥに関連する情報を示している。ａＳｙｍｂｏｌＬｅｎｇｔｈは、１シンボル（ｓｙｍｂｏｌ，ＯＦＤＭ  ｓｙｍｂｏｌ等）の期間に関する情報であり、ａＰＬＣＰＳｅｒｖｉｃｅＬｅｎｇｔｈは、ＰＬＣＰ  Ｓｅｒｖｉｃｅ  ｆｉｅｌｄが含むビット数を示し、ａＰＬＣＰＣｏｎｖｏｌｕｔｉｏｎａｌＴａｉｌＬｅｎｇｔｈは、畳みこみ符号のテールビット数を示す。無線通信装置は、例えば式（１）を用いてＬ＿ＬＥＮＧＴＨを算出し、Ｌ−ＳＩＧに挿入することができる。なお、Ｌ＿ＬＥＮＧＴＨの算出方法は式（１）に限定されない。例えば、Ｌ＿ＬＥＮＧＴＨは次式（２）によって算出されることもできる。
【００５８】
【数２】
2020205461.tif 000004
【００５９】
無線通信装置がＬ−ＳＩＧ  ＴＸＯＰ  ＰｒｏｔｅｃｔｉｏｎによりＰＰＤＵを送信する場合、次式（３）または次式（４）によりＬ＿ＬＥＮＧＴＨの算出を行う。
【００６０】
【数３】
2020205461.tif 000005
【００６１】
【数４】
2020205461.tif 000006
【００６２】
ここで、Ｌ−ＳＩＧ  Ｄｕｒａｔｉｏｎは、例えば式（３）または式（４）により算出されたＬ＿ＬＥＮＧＴＨを含むＰＰＤＵと、その応答として宛先の無線通信装置より送信されることが期待されるＡｃｋとＳＩＦＳの期間を合計した期間に関する情報を示す。無線通信装置は、次式（５）または次式（６）によりＬ−ＳＩＧ  Ｄｕｒａｔｉｏｎを算出する。
【００６３】
【数５】
2020205461.tif 000007
【００６４】
【数６】
2020205461.tif 000008
【００６５】
ここで、Ｔｉｎｉｔ＿ＰＰＤＵは式（５）により算出されたＬ＿ＬＥＮＧＴＨを含むＰＰＤＵの期間に関する情報を示し、ＴＲｅｓ＿ＰＰＤＵは式（５）により算出されたＬ＿ＬＥＮＧＴＨを含むＰＰＤＵに対して期待される応答のＰＰＤＵ期間に関する情報を示す。また、ＴＭＡＣＤｕｒは、式（６）により算出されたＬ＿ＬＥＮＧＴＨを含むＰＰＤＵ内のＭＡＣフレームが含むＤｕｒａｔｉｏｎ／ＩＤ  ｆｉｅｌｄの値に関連する情報を示す。無線通信装置がＩｎｉｔｉａｔｏｒ（開始者、送信者、先導者、Ｔｒａｎｓｍｉｔｔｅｒ）である場合、式（５）を用いてＬ＿ＬＥＮＧＴＨを算出し、無線通信装置がＲｅｓｐｏｎｄｅｒ（対応者、受信者、Ｒｅｃｅｉｖｅｒ）である場合、式（６）を用いてＬ＿ＬＥＮＧＴＨを算出する。
【００６６】
図３は、Ｌ−ＳＩＧ  ＴＸＯＰ  Ｐｒｏｔｅｃｔｉｏｎにおける、Ｌ−ＳＩＧ  Ｄｕｒａｔｉｏｎの一例を示した図である。ＤＡＴＡ（フレーム、ペイロード、データ等）は、ＭＡＣフレームとＰＬＣＰヘッダの一部または両方から構成される。また、ＢＡはＢｌｏｃｋ  Ａｃｋ、またはＡｃｋである。ＰＰＤＵは、Ｌ−ＳＴＦ，Ｌ−ＬＴＦ，Ｌ−ＳＩＧを含み、さらにＤＡＴＡ，ＢＡ、ＲＴＳあるいはＣＴＳのいずれかまたはいずれか複数を含んで構成されることができる。図３に示す一例では、ＲＴＳ／ＣＴＳを用いたＬ−ＳＩＧ  ＴＸＯＰ  Ｐｒｏｔｅｃｔｉｏｎを示しているが、ＣＴＳ−ｔｏ−Ｓｅｌｆを用いても良い。ここで、ＭＡＣ  Ｄｕｒａｔｉｏｎは、Ｄｕｒａｔｉｏｎ／ＩＤ  ｆｉｅｌｄの値によって示される期間である。また、ＩｎｉｔｉａｔｏｒはＬ−ＳＩＧ  ＴＸＯＰ  Ｐｒｏｔｅｃｔｉｏｎ期間の終了を通知するためにＣＦ＿Ｅｎｄフレームを送信することができる。
【００６７】
続いて、無線通信装置が受信するフレームからＢＳＳを識別する方法について説明する。無線通信装置が、受信するフレームからＢＳＳを識別するためには、ＰＰＤＵを送信する無線通信装置が当該ＰＰＤＵにＢＳＳを識別するための情報（ＢＳＳ  ｃｏｌｏｒ，Ｂ
ＳＳ識別情報、ＢＳＳに固有な値）を挿入することが好適である。ＢＳＳ  ｃｏｌｏｒを示す情報は、ＨＥ−ＳＩＧ−Ａに記載されることが可能である。
【００６８】
無線通信装置は、Ｌ−ＳＩＧを複数回送信する（Ｌ−ＳＩＧ  Ｒｅｐｅｔｉｔｉｏｎ）ことができる。例えば、受信側の無線通信装置は、複数回送信されるＬ−ＳＩＧをＭＲＣ（Ｍａｘｉｍｕｍ  Ｒａｔｉｏ  Ｃｏｍｂｉｎｉｎｇ）を用いて受信することで、Ｌ−ＳＩＧの復調精度が向上する。さらに無線通信装置は、ＭＲＣによりＬ−ＳＩＧを正しく受信完了した場合に、当該Ｌ−ＳＩＧを含むＰＰＤＵがＩＥＥＥ８０２．１１ａｘ規格に対応するＰＰＤＵであると解釈することができる。
【００６９】
無線通信装置は、ＰＰＤＵの受信動作中も、当該ＰＰＤＵ以外のＰＰＤＵの一部（例えば、ＩＥＥＥ８０２．１１により規定されるプリアンブル、Ｌ−ＳＴＦ、Ｌ−ＬＴＦ、ＰＬＣＰヘッダ等）の受信動作を行うことができる（二重受信動作とも呼称する）。無線通信装置は、ＰＰＤＵの受信動作中に、当該ＰＰＤＵ以外のＰＰＤＵの一部を検出した場合に、宛先アドレスや、送信元アドレスや、ＰＰＤＵあるいはＤＡＴＡ期間に関する情報の一部または全部を更新することができる。
【００７０】
Ａｃｋ及びＢＡは、応答（応答フレーム）とも呼称されることができる。また、プローブ応答や、認証応答、接続応答を応答と呼称することができる。
【００７１】
（第１の実施形態）
以下、図を利用して本発明の一実施形態を詳細に説明する。図１は本実施の形態の機器構成の一例を示している。１００１は通信方式としてＩＥＥＥ８０２．１１仕様などの無線ＬＡＮ機能と、接続しているステーション（ＳＴＡ）のスリープ状態から起床させるためのＷＵ（ウェイクアップ）無線（Wake up radio : WUR）機能を備えるアクセスポイン
ト（ＡＰ）、１００２、１００３は無線ＬＡＮ機能（プライマリ無線(Primary radio :PR))、メイン無線(Main radio :MR)）を使用した無線通信を行い、待機状態からＷＵ無線機能によってアクセスポイント１００１から起床可能なＳＴＡである。ステーション１００２、１００３は、アクセスポイント１００１と通信可能な接続状態に置いて、機器を使用しないと判断した時、無線通信を暫く使用しないと判断した時に、アクセスポイント１００１との間の無線ＬＡＮによる通信を休止するスリープ状態に移行する事ができる。アクセスポイント１００１は、ＷＵ無線パケットをステーション１００２、１００３のいずれか、または両方に対して送信する事で、ステーション１００２、１００３のスリープ状態を解除し、通信可能な接続状態に戻すことが出来る。
【００７２】
図１１を利用してステーション１００２がアクセスポイント１００１との間の通信状態を、接続状態から休止状態に移行し、休止状態からＷＵ無線パケットによって接続状態に復帰する処理フローの一例を説明する。最初１１０１でアクセスポイント１００１とステーション１００２の間で無線ＬＡＮによる通信が行われる接続モードであるとする。次に１１０２でステーション１００２が休止状態に移行し、無線ＬＡＮ機能を停止し、ＷＵ無線信号（ウェイクアップ無線信号、ＷＵ無線フレーム、ＷＵデータフレーム、ＷＵフレーム）のみを受信する待機モードに移行する。この待機モードに移行するための手順は特に指定しないが、一例としてステーション１００２における通信が無い時間が所定の時間を超えた場合に自動的に待機モードに移行する方法、ステーション１００２からアクセスポイント１００１に対して待機モードに移行する通知を行う方法、アクセスポイント１００１からステーション１００２に対して待機モードに移行するよう要求する方法などを使用することが出来る。ステーション１００２が待機モードに移行した後、アクセスポイント１００１においてステーション１００２に対する送信データが発生した場合に、ステップ１１０３でアクセスポイント１００１はステーション１００２に対してＷＵ無線パケットを送信する。このＷＵ無線パケットを受信したステーション１００２は、無線ＬＡＮ機能
を使える状態にし、その後ステップ１１０４でアクセスポイント１００１に対してＰＳ−ｐｏｌｌパケットを送信し、アクセスポイント１００１からデータを受信できるようになったことを通知する。このとき送信するパケットはｐｓ−Ｐｏｌｌでなくても良く、データを伴わないＮＤＰパケットなどのパケットを使用しても良い。このｐｓ−Ｐｏｌｌパケットを受信したアクセスポイント１００１は、ステーション１００２が接続モードに回復したと判断し、ステップ１１０７でステーション１００２と通信を行う。
【００７３】
図１２を利用してアクセスポイント１００１の構成概要の一例を説明する。１２０１は制御部１２１９からの指示で送信パケットのプリアンブルのデータを生成するプリアンブル生成部、１２０２はプリアンブル部１２０１からの出力とＤＳ制御部１２１８から入力される通信データを基に制御部１２１９からの指示で送信パケットの各サブキャリアに配置するデータを生成する送信データ制御部、１２０３は送信データ制御部１２０２からの出力を送信パケットのデータシンボルの各サブキャリアに設定するマッピング部、１２０４はマッピング部１２０３で各サブキャリア毎に設定されたデータに対し、逆離散フーリエ変換（ＩＤＦＴ）処理を行うＩＤＦＴ部、１２０５はＩＤＦＴ部１２０４の出力を送信順に並べ直すパラレル−シリアル（Ｐ／Ｓ）変換部、１２０６はＰ／Ｓ変換部１２０５から入力されるデータにガードインターバル（ＧＩ）を付加するＧＩ付加部、１２０７はＧＩ付加部１２０６でガードインターバルが付加されたベースバンドのデータをディジタル−アナログ（Ｄ／Ａ）変換するＤ／Ａ変換部、１２０８はＤ／Ａ変換部１２０７から入力されるアナログのベースバンド信号をアンテナ部１２１０から送信する周波数に変換し、所望の電力まで増幅する送信ＲＦ部、１２０９はアンテナ部１２１０の接続先を送信ＲＦ部１２０８または受信ＲＦ部１２１１のどちらかに切り替えるアンテナ切替部、１２１０は所定の周波数の信号の送信と受信を行うアンテナ部、１２１１はアンテナ部１２１０で受信した信号をアンテナ切替部１２０９経由で入力し、ベースバンド信号に変換する受信ＲＦ部、１２１１は受信ＲＦ部から入力されるアナログのベースバンド信号をアナログ−ディジタル（Ａ／Ｄ）変換するＡ／Ｄ変換部、１２１３はＡ／Ｄ変換されたベースバンド信号からプリアンブルを検出し、Ｓ／Ｐ変換部１２１４にシンボルタイミングに伴ってガードインターバルを除去し、ガードインターバル除去後の受信信号を出力するシンボル同期部、１２１４は入力された信号をシリアル−パラレル（Ｐ／Ｓ）変換により並列化して離散フーリエ変換（ＤＦＴ）処理可能な形式に変換するＰ／Ｓ変換部、１２１５は入力された信号にＤＦＴ処理を行うＤＦＴ部、１２１６はＤＦＴ処理後の信号を使用して各サブキャリアの信号点から復調データを推定するデマッピング部、１２１７はデマッピング後のデータからパケットの構造を抽出して受信したパケットに誤りが含まれていないか調べ、誤りがない場合にそのパケットのペイロードをＤＳ制御部、または制御部１２１９に出力する受信データ制御部、１２１８はネットワークと接続するための分配システム（ＤＳ）と受信データ・送信データを交換するためのＤＳ制御部、１２１９は各ブロックの状態を監視し、予め決められた手順に従って各ブロックを制御する制御部である。
【００７４】
図１３を利用してステーション１００２、１００３の構成概要の一例を説明する。ステーション１００２、１００３の構成概要はどちらも同じものとする。１３０１は制御部１３１９からの指示で送信パケットのプリアンブルのデータを生成するプリアンブル生成部、１３０２はプリアンブル部１３０１からの出力とアプリケーションＩＦ部１３１８を経由して入力される通信データを基に制御部１３１９からの指示で送信パケットの各サブキャリアに配置するデータを生成する送信データ制御部、１３０３は送信データ制御部１３０２からの出力を送信パケットのデータシンボルの各サブキャリアに設定するマッピング部、１３０４はマッピング部１３０３で各サブキャリア毎に設定されたデータに対し、逆離散フーリエ変換（ＩＤＦＴ）処理を行うＩＤＦＴ部、１３０５はＩＤＦＴ部１３０４の出力を送信順に並べ直すパラレル−シリアル（Ｐ／Ｓ）変換部、１３０６はＰ／Ｓ変換部１３０５から入力されるデータにガードインターバル（ＧＩ）を付加するＧＩ付加部、１３０７はＧＩ付加部１３０６でガードインターバルが付加されたベースバンドのデータを
ディジタル−アナログ（Ｄ／Ａ）変換するＤ／Ａ変換部、１３０８はＤ／Ａ変換部１３０７から入力されるアナログのベースバンド信号をアンテナ部１３１０から送信する周波数に変換し、所望の電力まで増幅する送信ＲＦ部、１３０９はアンテナ部１３１０の接続先を送信ＲＦ部１３０８または受信ＲＦ部１３１１のどちらかに切り替えるアンテナ切替部、１３１０は所定の周波数の信号の送信と受信を行うアンテナ部、１３１１はアンテナ部１３１０で受信した信号をアンテナ切替部１３０９経由で入力し、ベースバンド信号に変換する受信ＲＦ部、１３１１は受信ＲＦ部から入力されるアナログのベースバンド信号をアナログ−ディジタル（Ａ／Ｄ）変換するＡ／Ｄ変換部、１３１３はＡ／Ｄ変換されたベースバンド信号からプリアンブルを検出し、Ｓ／Ｐ変換部１３１４にシンボルタイミングに伴ってガードインターバルを除去し、ガードインターバル除去後の受信信号を出力するシンボル同期部、１３１４は入力された信号をシリアル−パラレル（Ｐ／Ｓ）変換により並列化して離散フーリエ変換（ＤＦＴ）処理可能な形式に変換するＰ／Ｓ変換部、１３１５は入力された信号にＤＦＴ処理を行うＤＦＴ部、１３１６はＤＦＴ処理後の信号を使用して各サブキャリアの信号点から復調データを推定するデマッピング部、１３１７はデマッピング後のデータからパケットの構造を抽出して受信したパケットに誤りが含まれていないか調べ、誤りがない場合にそのパケットのペイロードをＤＳ制御部、または制御部１３１９に出力する受信データ制御部、１３１８はネットワークと接続するための分配システム（ＤＳ）と受信データ・送信データを交換するためのＤＳ制御部、１３２０は受信したベースバンド信号からＷＵ無線信号の帯域の信号を取り出すためのローパスフィルタ（ＬＰＦ）部、１３２１はＬＰＦ部１３２０の出力信号を包絡線検波する包絡線検波部、１３２２は包絡線検波部１３２１の出力信号からＷＵ無線信号のプリアンブルを検出する同期部、１３２３はＷＵ無線パケットのプリアンブル以降の信号を復調する復調部、１３１９は各ブロックの状態を監視し、予め決められた手順に従って各ブロックを制御する制御部である。
【００７５】
ステーション１００２、１００３は無線ＬＡＮの通信を行う接続状態と、ＷＵ無線信号を受信する機能を使用する待機モード状態のそれぞれで、ステーション１００２、１００３を構成する各ブロックの電源状態を制御し、消費電力の適正化を行っても良い。一例として、接続状態ではＬＰＦ部１３２０、包絡線検波部１３２１、同期部１３２２、復調部１３２３が消費する電力を止めても良く、また、待機モード状態ではアンテナ切替部１３０９、受信ＲＦ部１３１１、ＬＰＦ部１３２０、包絡線検波部１３２１、同期部１３２２、復調部１３２３、制御部１３１９のみが動作すれば良く、他のブロックが消費する電力を止めても良い。アンテナ切替部１３０９の構成が、電源を供給していない時にアンテナ部１３１０と受信ＲＦ部１３１１が接続されるよう構成されている時はアンテナ切替部１３０９の電源供給を止めても良い。また、受信ＲＦ部１３１１の構成が無線ＬＡＮの信号を扱うときよりもＷＵ無線信号を扱うときの方が、受信ＲＦ部１３１１の消費電力が少なくなるように構成しても良い。
【００７６】
図１４にＷＵ無線信号の構成の一例を示す。図１４（ａ）において、縦軸方向は信号が占有する周波数帯域を示し、横軸は時間方向の占有時間を示す。１４０１はレガシー部分（Ｌ−ｐａｒｔ）で従来の無線ＬＡＮ信号と互換性がある信号を使用し、ＷＵ無線信号を受信できないステーションも受信可能な信号である。１４０２はＷＵ無線部分（ＷＵＲ−ｐａｒｔ）でＷＵ無線信号を受信する事ができるステーション用の信号である。図１４（ａ）に示したように、最初にＬ−ｐａｒｔ・１４０１を送信し、続いてＷＵＲ−ｐａｒｔ・１４０２を送信する。ＷＵＲ−ｐａｒｔ・１４０２はＬ−ｐａｒｔ・１４０１より帯域が狭く、情報速度を遅い信号形式を使用する事で、復調時に使用する電力を低減できるようにする。
【００７７】
本実施の形態では、Ｌ−ｐａｒｔ・１４０１の信号と、ＷＵＲ−ｐａｒｔ・１４０２の信号を、ＩＤＦＴを使用して生成する。図１４（ｂ）はＬ−ｐａｒｔ・１４０１を生成す
る際のＩＤＦＴ処理前のサブキャリア配置の概略図である。一例として、ＩＤＦＴの処理ポイント数が６４（インデックスの範囲を−３２〜３１とする）の場合、インデックスが−２６〜２６の範囲にサブキャリアを配置し、ＩＤＦＴ後のベースバンド信号が所定の帯域、例えば２０ＭＨｚに収まるようにする。なお、インデックス０はＤＣ（直流）キャリアとして使用しない。ＩＤＦＴのサブキャリアに設定する値は特に限定しないが、例えばＩＥＥＥ８０２．１１ａ規格で規定されているＳＴＦ（Ｓｈｏｒｔ  Ｔｒａｉｎｉｎｇ  Ｆｉｅｌｄ）、ＬＴＦ（Ｌｏｎｇ  Ｔｒａｉｎｉｎｇ  Ｆｉｅｌｄ）、ＳＩＧ（ＳＩＧｎａｌ）フィールドで使用する値を使用しても良い。なお、ＩＤＦＴのポイント数は６４に限定されず、例えば４０ＭＨｚ帯域とするために１２８ポイントのＩＤＦＴを使用しても良く、また、８０ＭＨｚ帯域とするために２５６ポイントのＩＤＦＴを使用しても良い。１２８ポイント、または２５６ポイントのＩＤＦＴを使用する場合、６４ポイントのＩＤＦＴを使用する場合に使用するサブキャリアの値を複製し、所望のポイント数の値を用意しても良い。図１４（ｃ）はＷＵＲ−ｐａｒｔ・１４０２を生成する際のＩＤＦＴ処理前のサブキャリア配置の概略図である。一例として、ＩＤＦＴ処理ポイント数が６４の場合、インデックスが−６〜６の範囲にサブキャリアを配置し、ＩＤＦＴ後のベースバンド信号が例えば４ＭＨｚに収まるようにする。なお、インデックス０はＤＣキャリアとして使用しない。ＷＵＲ信号送信時にサブキャリアに設定する値は特に指定しないが、一例としてＬ−ｐａｒｔのプリアンブル送信時例えばＩＥＥＥ８０２．１１ａのＳＴＦまたはＬＴＦに使用するサブキャリアの値を用いる方法や、Ｍ系列などの疑似乱数系列の一部を使用する方法などを使用して良い。
【００７８】
受信側のステーションにおいて、ＷＵ無線信号の復調時に使用する電力を低減するために、ＷＵ無線信号は包絡線検波が可能な形式とする。本実施の形態では、ＯＯＫ（オン・オフ・キーイング）変調方式を使用する。本実施の形態では、データの符号化として無符号（符号を使用しない）と、マンチェスター符号を使用する符号化の２種類を使用するが、符号化方法は１種類でも良く、また２種類より多い種類を使用して良い。無符号のＯＯＫ変調を行った時のＷＵ無線信号の一例を図１５（ａ）に示す。変調シンボルは所定時間を単位とし、ＷＵ無線信号の振幅の有無を送信データビットに割り当てる。本実施の形態では振幅０を送信ビットの０とし、送信に使用するサブキャリアに所定のデータを設定してＷＵ無線信号の振幅がある状態を送信ビットの１とする。マンチェスター符号を使用したＯＯＫ変調を行った時のＷＵ信号の一例を図１５（ｂ）に示す。無符号のＯＯＫ変調を行った変調シンボル２つを１符号単位とし、マンチェスター符号による符号化後の変調シンボルとする。本実施の形態では無符号のＯＯＫ変調シンボルが０、１と並んだ状態を符号化前の送信データビット１とし、無符号のＯＯＫ変調シンボルが１、０と並んだ状態を符号化前の送信データビット０とする。
【００７９】
図１４（ａ）のＷＵＲ−ｐａｒｔ・１４０２で使用するＷＵ無線フレーム構造の概要を図１５（ｃ）に示す。１５０１は同期に使用するための同期部分で、所定の数と値のＯＯＫ変調シンボルで構成される。例えば、この同期部分は４つのＯＯＫ変調シンボルで構成され、送信データビットが１、０、１、０の並びとして良い。１５０２は以降の変調シンボルの変調方式・符号化方式（Ｍｏｄｕｒａｔｉｏｎ  ａｎｄ  Ｃｏｄｉｎｇ  Ｓｃｈｅｍｅ，ＭＣＳ）を示すフィールドで、無符号のＯＯＫ変調を使用する場合を１，０の並びのＯＯＫ変調シンボルで、マンチェスター符号を使用したＯＯＫ変調を使用する場合を０，１の並びのＯＯＫ変調シンボルで示す。これはＭＣＳを識別するための０または１の情報を、マンチェスター符号を使用して送信することと等価である。これにより、端末識別子フィールド１５０３、カウンタフィールド１５０４、予約フィールド１５０５、ＦＣＳフィールド１５０６はこのＭＣＳフィールド１５０２で示される変調方式で送信される。
【００８０】
ＭＣＳフィールドを省略して他の方法で端末識別子フィールド１５０３、カウンタフィールド１５０４、予約フィールド１５０５、ＦＣＳフィールド１５０６で使用するＭＣＳ
を通知しても良い。一例として同期部分で使用する送信データビットの並びを複数用意し、この複数の並びのいずれかが使用されたことでＭＣＳを通知しても良く、例えば１、０、１、０の並びが同期部分に使用され場合はマンチェスター符号を使用したＯＯＫ変調を使用し、１、０、０、１が使用された場合は無符号のＯＯＫ変調を使用するとしても良い。
【００８１】
１５０３は端末識別子フィールドで、ＷＵ無線信号を送信するアクセスポイントとＷＵ無線信号を受信するステーションのそれぞれの両方または片方を識別するために使用する情報を含む。この端末識別子フィールドに含まれる情報はアクセスポイントまたはステーションを完全に識別するものではなく、複数のアクセスポイントまたは複数のステーションに割り当てられうる情報を用い、端末識別子フィールドの長さを短縮しても良い。この短縮方法の一例として、図１５（ｄ）に示すようにＢＳＳ  ｃｏｌｏｒ・１５１１とアソシエーション識別子フィールド（Ａｓｓｏｃｉａｔｉｏｎ  ＩＤｅｎｔｉｆｉｅｒ，ＡＩＤ）１５１２から構成しても良く、また図１５（ｅ）に示すようにＢＳＳ  ｃｏｌｏｒ・１５１１と短縮ＡＩＤ（Ｐａｒｔｉａｌ  ＡＩＤ）１５１３で構成しても良い。ＢＳＳ  ｃｏｌｏｒは、現在標準化作業が進められているＩＥＥＥ８０２．１１ａｘ仕様に採用見込みの情報で、アクセスポイントのおおよその区別をするためにＭＡＣアドレス（４８ビット）より短い情報長、例えば６ビット長の情報を定義するもので、近隣に存在するアクセスポイントの間でできるだけ異なる値を設定するようにアクセスポイントの間で調整される。ＡＩＤ・１５１２はステーションがアクセスポイントに対して接続する（Ａｓｓｏｃｉａｔｉｏｎ  ｐｒｏｃｅｓｓを実行する）際に、アクセスポイントからそのステーションに対して割り当てられる識別子で、ＩＥＥＥ８０２．１１仕様では１２ビット長の情報で１〜１０２３が割り当てられる。Ｐａｒｔｉａｌ  ＡＩＤ・１５１３はＩＥＥＥ８０２．１１ａｃ仕様で規定されているもので、ＡＩＤを所定の方式で短縮した情報で９ビット長である。ＡＩＤ・１５１２やＰａｒｔｉａｌ  ＡＩＤ・１５１３はＭＡＣアドレス（４８ビット）よりも短い情報で、複数のアクセスポイントが近隣で運用されている場合、それぞれのアクセスポイントに接続されているステーションの間で重複する可能性がある。また、Ｐａｒｔｉａｌ  ＡＩＤ・１５１３は一つのアクセスポイントに接続している複数のステーションの間で重複する可能性がある。この端末識別子フィールド１５０３の情報が複数のステーション間で重複する場合の処理については後述する。
【００８２】
１５０４はカウンタフィールドで、リトライ処理、再接続処理に使用する。一例として、４ビット長のカウンタを使用し、ＷＵ無線信号の初送時は全て０を設定して良い。１５０５は予約フィールドで、機能追加の際に使用する。フィールド長は特に指定しないが、一例として４ビットの予約フィールド１５０５を設けてよい。将来機能追加を行わない場合はこの予約フィールド１５０５を省略しても良い。１５０６はＦＣＳ（Ｆｒａｍｅ  Ｃｈｅｃｋ  Ｓｅｑｕｅｎｃｅ）フィールドで、端末識別子フィールド１５０３から予約フィールド１５０５に含まれている受信データが正しいか検証するための値が含まれており、一例としてＣＲＣ（Ｃｙｃｌｉｃ  Ｒｅｄｕｎｄａｎｃｙ  Ｃｈｅｃｋ）符号、例えば生成多項式の長さが９ビットであるＣＲＣ−８を使用しても良い。
【００８３】
ＷＵ無線信号を受信する待機モード状態のステーション１００２、１００３は、ＬＰＦ部１３２０の出力電力が所定の閾値を下回った状態から所定の閾値を上回った状態に変化する事を検出してＬ−ｐａｒｔ・１４０１を受信したと判断し、包絡線検波部１３２１の出力を同期部１３２２が同期部分１５０１で使用するデータビットの並び、例えば１、０、１、０と変化する事を確認してＷＵ無線信号のフレームの復調を開始する。同期部分１５０１を検出したステーションは続くＭＣＳフィールド１５０２を受信し、ＭＣＳフィールド１５０２以降のフィールドのＭＣＳを推定する。このステーション１００２、１００３はこの推定結果を利用して以降のフィールドを復調する。このステーション１００２、１００３は端末識別子フィールド１５０３、カウンタフィールド１５０４、予約フィール
ド１５０５、ＦＣＳフィールド１５０６全てを復調し、ＦＣＳフィールド１５０６の値を利用して端末識別子フィールド１５０３、カウンタフィールド１５０４、予約フィールド１５０５を正しく復調したか判断し、正しく復調できたと判断できた場合に端末識別子フィールド１５０３が自ステーションを指定するものであるか判断する。端末識別子フィールド１５０３が自ステーションを指定する値であった場合、このステーション１００２、１００３の無線ＬＡＮ信号を使用して通信するためのブロックに電源を供給し、無線ＬＡＮ信号を利用する通信が出来る状態を回復する。無線ＬＡＮ信号を利用して通信が出来る状態になった後、このステーション１００２、１００３はアクセスポイント１００１に対して起床した事を通知するパケット、例えばｐｓ−Ｐｏｌｌパケットを送信し、アクセスポイント１００１に対して自ステーションに対するデータの送信を促す。なお、ＭＣＳフィールド１５０２を受信した後、端末識別子フィールド１５０３を受信した時点で、ＦＣＳフィールド１５０６の受信を待たずに端末識別子フィールド１５０３の値を確認し、自ステーションに対応する値でなかった場合は以降の復調処理を止め、次のＷＵ無線信号が検出されるまで復調部１３２３の消費電力を削減しても良い。このとき端末識別子フィールド１５０３の値全て確認するのではなく、端末識別子フィールド１５０３の中で最初に送信される一部分、例えばＢＳＳ  ｃｏｌｏｒ・１５１１の値を確認して、自ステーションに対応する値でなかった場合に以降の復調を停止しても良い。
【００８４】
アクセスポイント１００１とステーション１００２、またはステーション１００３間の通信の一例を、図９のメッセージフロー図を用いて説明する。図９は、ステーション１００２（１００３）を待機状態に移行するためのシグナリングとして、アクセスポイント１００１からステーション１００２、またはステーション１００３に対して待機モードに移行するように要求する場合のフローを示す。図９（ａ）はＷＵ無線信号が到達する場合のメッセージフローを、図９（ｂ）はＷＵ無線信号が到達しない場合のメッセージフローを示す。最初に１６０１で、無線ＬＡＮ信号を利用してアクセスポイント１００１からステーション１００２（１００３）に対してＷＵＲモード要求パケット（ウェイクアップ無線モード要求パケット）を送信する。このＷＵＲモード要求パケットを受信したステーション１００２（１００３）は、１６０２でアクセスポイント１００１に対してＷＵＲモード要求パケットに対する確認応答（ＡＣＫ）パケットを無線ＬＡＮ信号で送信する。その後、ステーション１００２（１００３）は１６０３でＷＵ無線信号を受信するために使用するブロック、一例として図１３のＬＰＦ部１３２０、包絡線検波部１３２１、同期部１３２２、復調部１３２３に電源を供給し、これらのＷＵ無線信号を受信するための各ブロックを使用できるようにする。ステーション１００２（１００３）が常にＷＵ無線信号を受信できる構成の場合はこの手順を省略して良い。１６０２の確認応答パケットを受信したアクセスポイント１００１は、１６０４でステーション１００２（１００３）に対してＷＵ無線信号を用いてＷＵＲ移行パケットを送信する。この１６０４のフローに移行する前に、アクセスポイント１００１は、ステーション１００２（１００３）が１６０３でＷＵ無線信号を受信するために各ブロックを使用できるようにする時間を見込み、１６０４の実行を待っても良い。１６０４でＷＵＲ移行パケットを送信したアクセスポイント１００１は、１６０５でステーション１００２（１００３）から無線ＬＡＮ信号でＷＵＲ回復要求パケット（ウェイクアップ無線回復要求パケット）が送信されるかどうか待つ。その後、予め決められた時間、例えば５ミリ秒待った後、アクセスポイント１００１はＷＵＲ回復要求パケットの受信をしなかった場合に１６０７で通常の動作に復帰する。１６０４のＷＵ無線信号を利用したＷＵＲ移行パケットを受信したステーション１００２（１００３）は、１６０６で待機状態（ＷＵＲモード）に移行する。
【００８５】
次に、ＷＵ無線信号が到達しない場合のフローを示す。最初に１６１１で、無線ＬＡＮ信号を利用してアクセスポイント１００１からステーション１００２（１００３）に対してＷＵＲモード要求パケットを送信する。このＷＵＲモード要求パケットを受信したステーション１００２（１００３）は、１６１２でアクセスポイント１００１に対してＷＵＲ
モード要求パケットに対する確認応答（ＡＣＫ）パケットを無線ＬＡＮ信号で送信する。その後、ステーション１００２（１００３）は１６１３でＷＵ無線信号を受信するために使用するブロック、一例として図１３のＬＰＦ部１３２０、包絡線検波部１３２１、同期部１３２２、復調部１３２３に電源を供給し、これらのＷＵ無線信号を受信するための各ブロックを使用できるようにする。ステーション１００２（１００３）が常にＷＵ無線信号を受信できる構成の場合はこの手順を省略して良い。１６１２の確認応答パケットを受信したアクセスポイント１００１は、１６１４でステーション１００２（１００３）に対してＷＵ無線信号を用いてＷＵＲ移行パケットを送信する。この１６１４のフローに移行する前に、アクセスポイント１００１は、ステーション１００２（１００３）が１６１３でＷＵ無線信号を受信するために各ブロックを使用できるようにする時間を見込み、１６１４の実行を待っても良い。１６１４でＷＵＲ移行パケットを送信したアクセスポイント１００１は、１６１５でステーション１００２（１００３）から無線ＬＡＮ信号でＷＵＲ回復要求パケットが送信されるかどうか待つ。ステーション１００２（１００３）は、ＷＵ無線信号を利用したＷＵ移行要求パケットの受信を待つが、１６１４で送信されたＷＵＲ移行パケットは受信できない。１６１３の後予め決められた時間、例えば２ミリ秒待ってもＷＵＲ移行パケットを受信できなかった後、ステーション１６１６で回復手順を開始する。回復手順に移行したステーション１００２（１００３）は、１６１７で無線ＬＡＮ信号を使用してＷＵＲ回復要求パケットをアクセスポイント１００１に対して送信する。その後、ステーション１００２（１００３）ＷＵ無線信号を利用したＷＵＲ移行パケットの受信を待つ。１６１７のＷＵＲ回復要求パケットを受信したアクセスポイント１００１は、１６１８でＷＵ無線信号を利用してＷＵＲ移行パケットを送信する。その後１６２０で予め決められた時間、アクセスポイント１００１は無線ＬＡＮ信号を利用したＷＵＲ回復要求パケットを受信するか待つ。このＷＵＲ回復要求パケットを受信しなかったら、アクセスポイント１００１は通常の動作に復帰する。１６１８のＷＵＲ移行要求パケットを受信したステーション１００２（１００３）は回復処理を終了し、１６１９で待機状態に移行する。
【００８６】
図９のメッセージフローの遷移を判りやすくするために、無線ＬＡＮ信号を使用したＷＵＲモード要求パケット１６０１，１６１１と確認応答パケット１６０２，１６１２の交換をＷＵＲ移行のためのシグナリング、ＷＵ無線信号を利用する待機状態１６０６，１６１９をＷＵＲモード、またはＷＵ無線待機モードとし、このＷＵＲ移行のためのシグナリングとＷＵ無線待機モードの間の信号のやり取りを含めた期間をＷＵＲ移行状態、またはＷＵ無線移行状態として区別しても良い。この場合、回復手順はＷＵ無線移行状態に含まれる。
【００８７】
ステーション１００２またはステーション１００３を待機状態に移行するためのシグナリングとして、ステーション１００２（１００３）からアクセスポイント１００１に対して自ステーション１００２（１００３）を待機状態（ＷＵＲモード、ウェイクアップ無線モード）移行するように要求する場合のフローを図１０示す。図１０（ａ）はＷＵ無線信号が到達する場合のメッセージフローを、図１０（ｂ）はＷＵ無線信号が到達しない場合のメッセージフローを示す。ＷＵ無線信号が到達する場合のフローから説明する。最初に１７０１で、ステーション１００２（１００３）からアクセスポイント１００１に対し、無線ＬＡＮ信号を利用してＷＵＲモード移行要求パケットを送信する。１７０１のＷＵＲモード移行要求パケットを受信したアクセスポイント１００１は、１７０２でステーション１００２（１００３）に対して無線ＬＡＮ信号を利用して１７０１のＷＵＲモード移行要求パケットに対する確認応答を送信する。１７０２の確認応答を受信したステーション１００２（１００３）は、１７０３でＷＵ無線信号を受信するために使用するブロック、一例として図１３のＬＰＦ部１３２０、包絡線検波部１３２１、同期部１３２２、復調部１３２３に電源を供給し、これらのＷＵ無線信号を受信するための各ブロックを使用できるようにする。ステーション１００２（１００３）が常にＷＵ無線信号を受信できる構成
の場合はこの手順を省略して良い。１７０２で確認応答を送信したアクセスポイント１００１は、１７０４でステーション１００２（１００３）に対してＷＵ無線信号を用いてＷＵＲ移行パケットを送信する。この１７０４のフローに移行する前に、アクセスポイント１００１は、ステーション１００２（１００３）が１７０３でＷＵ無線信号を受信するために各ブロックを使用できるようにする時間を見込み、１７０４の実行を待っても良い。１７０４でＷＵＲ移行パケットを送信したアクセスポイント１００１は、１７０５でステーション１００２（１００３）から無線ＬＡＮ信号でＷＵＲ回復要求パケットが送信されるかどうか待つ。その後、予め決められた時間、例えば５ミリ秒待った後、アクセスポイント１００１はＷＵＲ回復要求パケットの受信をしなかった場合に１７０７で通常の動作に復帰する。１７０４のＷＵ無線信号を利用したＷＵＲ移行パケットを受信したステーション１００２（１００３）は、１７０６で待機状態（ＷＵＲモード）に移行する。
【００８８】
次に、ＷＵ無線信号が到達しない場合のフローを示す。最初に１７１１で、ステーション１００２（１００３）からアクセスポイント１００１に対し、無線ＬＡＮ信号を利用してＷＵＲモード移行要求パケットを送信する。１７１１のＷＵＲモード移行要求パケットを受信したアクセスポイント１００１は、１７１２でステーション１００２（１００３）に対して無線ＬＡＮ信号を利用して１７１１のＷＵＲモード移行要求パケットに対する確認応答を送信する。１７１２の確認応答を受信したステーション１００２（１００３）は、１７１３でＷＵ無線信号を受信するために使用するブロック、一例として図１３のＬＰＦ部１３２０、包絡線検波部１３２１、同期部１３２２、復調部１３２３に電源を供給し、これらのＷＵ無線信号を受信するための各ブロックを使用できるようにする。ステーション１００２（１００３）が常にＷＵ無線信号を受信できる構成の場合はこの手順を省略して良い。１７１２で確認応答を送信したアクセスポイント１００１は、１７１４でステーション１００２（１００３）に対してＷＵ無線信号を用いてＷＵＲ移行パケットを送信する。この１７１４のフローに移行する前に、アクセスポイント１００１は、ステーション１００２（１００３）が１７１３でＷＵ無線信号を受信するために各ブロックを使用できるようにする時間を見込み、１７１４の実行を待っても良い。１７１４でＷＵＲ移行パケットを送信したアクセスポイント１００１は、１７０５でステーション１００２（１００３）から無線ＬＡＮ信号でＷＵＲ回復要求パケットが送信されるかどうか待つ。ステーション１００２（１００３）は、ＷＵ無線信号を利用したＷＵ移行要求パケットの受信を待つが、１７１４で送信されたＷＵＲ移行パケットは受信できない。１７１３の後予め決められた時間、例えば２ミリ秒待ってもＷＵＲ移行パケットを受信できなかった後、ステーション１７１６で回復手順を開始する。回復手順に移行したステーション１００２（１００３）は、１７１７で無線ＬＡＮ信号を使用してＷＵＲ回復要求パケットをアクセスポイント１００１に対して送信する。その後、ステーション１００２（１００３）ＷＵ無線信号を利用したＷＵＲ移行パケットの受信を待つ。１７１７のＷＵＲ回復要求パケットを受信したアクセスポイント１００１は、１７１８でＷＵ無線信号を利用してＷＵＲ移行パケットを送信する。その後１７２０で予め決められた時間、アクセスポイント１００１は無線ＬＡＮ信号を利用したＷＵＲ回復要求パケットを受信するか待つ。このＷＵＲ回復要求パケットを受信しなかったら、アクセスポイント１００１は通常の動作に復帰する。１７１８のＷＵＲ移行要求パケットを受信したステーション１００２（１００３）は回復処理を終了し、１７１９で待機状態に移行する。
【００８９】
図１０のメッセージフローの遷移を判りやすくするために、無線ＬＡＮ信号を使用したＷＵＲモード要求パケット１７０１，１７１１と確認応答パケット１７０２，１７１２の交換をＷＵＲ移行のためのシグナリング、ＷＵ無線信号を利用する待機状態１７０６，１７１９をＷＵＲモード、またはＷＵ無線待機モードとし、このＷＵＲ移行のためのシグナリングとＷＵ無線待機モードの間の信号のやり取りを含めた期間をＷＵＲ移行状態、またはＷＵ無線移行状態として区別しても良い。この場合、回復手順はＷＵ無線移行状態に含まれる。
【００９０】
図９に示したメッセージフローを実現するステーション１００２（１００３）の制御部１３１９の制御フローを、図１６を利用して説明する。１８０１で制御部１３１９はアクセスポイント１００１から無線ＬＡＮ信号を使用して送信されるデータパケットの受信を行い、１８０２でそのデータパケットがＷＵＲモード移行要求パケットであるかどうか判断し、ＷＵＲモード移行要求パケットでなかった場合は１８０１に戻り、ＷＵＲモード移行要求パケットであった場合は１８０３に進む。１８０３で、制御部１３１９はアクセスポイント１００１に対して１８０１で受信したＷＵＲモード移行要求パケットに対する確認応答を、無線ＬＡＮ信号を使用して送信する。続いて１８０４で、制御部１３１９はＷＵ無線信号を受信するために使用するブロック、一例として図１３のＬＰＦ部１３２０、包絡線検波部１３２１、同期部１３２２、復調部１３２３に電源を供給し、これらのＷＵ無線信号を受信するための各ブロックを使用できるようにする。１８０３と１８０４の順番は入れ替えても良いし、同時に実行しても良い。その後１８０５で、制御部１３１９は予め決められた時間内にＷＵＲモード移行要求パケットを受信したかどうかのタイムアウト判定を行い、タイムアウトではないと判断した場合は１８０６に、タイムアウトと判定した場合は１８０８に進む。制御部１３１９は１８０６でＷＵ無線信号を利用したデータパケットの受信を行い、１８０７でこの受信したデータパケットがＷＵＲモード移行要求パケットであったか判断し、ＷＵＲモード移行要求パケットであった場合は１８１１に、ＷＵＲモード移行要求パケットでなかった場合は１８０５に戻る。１８１１で、制御部１３１９はステーション１００２（１００３）を待機状態（ＷＵＲモード）に移行し、フローを終了する。また、１８０８から回復手順を実施するために、制御部１３１９は無線ＬＡＮ信号を用いてＷＵＲ回復要求パケットをアクセスポイント１００１に対して送信し、１８０９で無線ＬＡＮ信号を使用したこのＷＵＲ回復要求パケットに対する確認応答（ＡＣＫ）パケットを受信できたか判断し、受信できた場合は１８０５に戻り、受信できなかった場合は１８１０に進み、この確認応答パケットを受信するために設定されている時間が経過してタイムアウトとなるか判断し、タイムアウトではない場合は再度１８０９に戻り確認応答パケットの受信を行い、タイムアウトと判定した場合は回復処理を終了し、エラーとして一連のフローを終了する。図１６ではＷＵＲ回復要求パケットを一度しか送信していないが、タイムアウト判定後に再度送信し、ＷＵＲ回復要求パケットを複数回送信するようにしても良い。
【００９１】
次に図１０に示したメッセージフローを実現するステーション１００２（１００３）の制御部１３１９の制御フローを、図１７を利用して説明する。１９０１で制御部１３１９はアクセスポイント１００１に対して無線ＬＡＮ信号を使用してＷＵＲモード移行要求パケットをアクセスポイント１００１に送信する。その後１９０２で、制御部１３１９はこのＷＵＲモード移行要求パケットに対する確認応答パケットを受信できたかどうか判断し、この確認応答パケットを受信できた場合は１９０３に進み、この確認応答パケットを受信できなかった場合はエラーとしてフローを終了する。このエラーとして終了する前に１３０１に戻り、制御部１３１９は再度ＷＵＲモード移行要求パケットをアクセスポイント１００１に対して送信しても良い。１９０３で、制御部１３１９はＷＵ無線信号を受信するために使用するブロック、一例として図１３のＬＰＦ部１３２０、包絡線検波部１３２１、同期部１３２２、復調部１３２３に電源を供給し、これらのＷＵ無線信号を受信するための各ブロックを使用できるようにする。その後１９０４で、制御部１３１９は予め決められた時間内にＷＵＲモード移行要求パケットを受信したかどうかのタイムアウト判定を行い、タイムアウトではないと判断した場合は１９０５に、タイムアウトと判定した場合は１９０７に進む。制御部１３１９は１９０５でＷＵ無線信号を利用したデータパケットの受信を行い、１９０６でこの受信したデータパケットがＷＵＲモード移行要求パケットであったか判断し、ＷＵＲモード移行要求パケットであった場合は１９１０に、ＷＵＲモード移行要求パケットでなかった場合は１９０４に戻る。１９１０で、制御部１３１９はステーション１００２（１００３）を待機状態（ＷＵＲモード）に移行し、フローを終
了する。また、１９０７から回復手順を実施するために、制御部１３１９は無線ＬＡＮ信号を用いてＷＵＲ回復要求パケットをアクセスポイント１００１に対して送信し、１９０８で無線ＬＡＮ信号を使用したこのＷＵＲ回復要求パケットに対する確認応答（ＡＣＫ）パケットを受信できたか判断し、受信できた場合は１９０４に戻り、受信できなかった場合は１９０９に進み、この確認応答パケットを受信するために設定されている時間が経過してタイムアウトとなるか判断し、タイムアウトではない場合は再度１９０８に戻り確認応答パケットの受信を行い、タイムアウトと判定した場合は回復処理を終了し、エラーとして一連のフローを終了する。図１７ではＷＵＲ回復要求パケットを一度しか送信していないが、タイムアウト判定後に再度送信し、ＷＵＲ回復要求パケットを複数回送信するようにしても良い。
【００９２】
次に図９に示したメッセージフローを実現するアクセスポイント１００１の制御部１２１９の制御フローを、図１８を利用して説明する。２００１で、制御部１２１９はステーション１００２（１００３）に対して無線ＬＡＮ信号を使用してＷＵＲモード移行要求パケットを送信する。その後２００２で、制御部は２００１で送信したＷＵＲモード移行要求パケットに対する確認応答（ＡＣＫ）パケットを受信できたか判断し、受信できた場合は２００３に進み、この確認応答パケットを受信できなかった場合はエラーとしてフローを終了する。エラーとして終了する前に２００１に戻り、再度ＷＵＲモード移行要求パケットの送信をしても良い。２００３で、制御部１２１９は予め決められた時間待ち、キャリアセンスを実施してＷＵ無線信号でＷＵＲ移行パケットを送信するための送信機会（ＴＸＯＰ）の確保を行う。この待ち時間はステーション１００２（１００３）がＷＵ無線信号を受信できるようになるまでの時間を考慮し、無線ＬＡＮ信号を使用する際のキャリアセンスに先立つ待ち時間より長く設定しても良い。この送信機会を確保した後２００４に進み、制御部１２１９はＷＵ無線信号を利用してＷＵＲ移行パケットを送信する。その後２００５に進み、制御部１２１９はステーション１００２（１００３）が回復手順を使用する可能性がある期間が終了したか判断し、この期間が終了したと判断した場合はフローを終了し、この期間内と判断した場合は２００６に進む。２００６で、制御部１２１９は無線ＬＡＮ信号を利用したデータパケットの受信を行い、続く２００７でこのデータパケットがＷＵＲ回復要求パケットであるかどうか判断し、ＷＵＲ回復要求パケットでなかった場合は２００５に戻り、ＷＵＲ回復要求パケットであった場合は２００８に進む。２００８で、制御部１２１９は受信したＷＵＲ回復要求パケットに対する確認応答パケットを、無線ＬＡＮ信号を利用して送信し、その後２００９に進む。２００９で、制御部１２１９は２００１で送信したＷＵＲモード移行要求パケットに対応するＷＵＲ回復要求パケットの受信が予め決められた回数に達してタイムアウト条件を満たしたか判断し、タイムアウトと判定した場合はエラーとしてフローを終了し、タイムアウトと判定しなかった場合は２０１０に進む。２０１０において、２００１でＷＵＲモード移行要求パケットを送信したステーション１００２（１００３）に対して送信するＷＵＲ信号のＭＣＳ（変調符号化方式）を設定し直し、２００３に戻る。このＭＣＳの再設定時に使用するＭＣＳは低速でよりエラーレートが低いものを使用しても良い。
【００９３】
次に図１０に示したメッセージフローを実現するアクセスポイント１００１の制御部１２１９の制御フローを、図１９を利用して説明する。２１０１で、制御部１２１９は無線ＬＡＮ信号を利用したデータパケットの受信を行い、その後２１０１でこの受信したデータパケットに対する確認応答パケットを、無線ＬＡＮ信号を利用して送信する。その後２１０３で、制御部１２１９は２１０１で受信したデータパケットがＷＵＲモード移行要求パケットであったか判断し、ＷＵＲモード移行要求パケットでなかった場合は２１０１に戻り、ＷＵＲモード移行要求パケットであった場合２１０４に進む。２１０４で、制御部１２１９は予め決められた時間待ち、キャリアセンスを実施してＷＵ無線信号でＷＵＲ移行パケットを送信するための送信機会（ＴＸＯＰ）の確保を行う。この待ち時間はステーション１００２（１００３）がＷＵ無線信号を受信できるようになるまでの時間を考慮し
、無線ＬＡＮ信号を使用する際のキャリアセンスに先立つ待ち時間より長く設定しても良い。この送信機会を確保した後２１０５に進み、制御部１２１９はＷＵ無線信号を利用してＷＵＲ移行パケットを送信する。その後２１０６に進み、制御部１２１９はステーション１００２（１００３）が回復手順を使用する可能性がある期間が終了したか判断し、この期間が終了したと判断した場合はフローを終了し、この期間内と判断した場合は２１０７に進む。２１０７で、制御部１２１９は無線ＬＡＮ信号を利用したデータパケットの受信を行い、続く２１０８でこのデータパケットがＷＵＲ回復要求パケットであるかどうか判断し、ＷＵＲ回復要求パケットでなかった場合は２１０６に戻り、ＷＵＲ回復要求パケットであった場合は２１０９に進む。２１０９で、制御部１２１９は受信したＷＵＲ回復要求パケットに対する確認応答パケットを、無線ＬＡＮ信号を利用して送信し、その後２１１０に進む。２１１０で、制御部１２１９は２１０１で受信したＷＵＲモード移行要求パケットに対応するＷＵＲ回復要求パケットの受信が予め決められた回数に達してタイムアウト条件を満たしたか判断し、タイムアウトと判定した場合はエラーとしてフローを終了し、タイムアウトと判定しなかった場合は２１１１に進む。２１１１において、２００１でＷＵＲモード移行要求パケットを受信したステーション１００２（１００３）に対して送信するＷＵＲ信号のＭＣＳ（変調符号化方式）を設定し直し、２１０４に戻る。このＭＣＳの再設定時に使用するＭＣＳは低速でよりエラーレートが低いものを使用しても良い。
【００９４】
図９、図１０のメッセージフロー中で、ＷＵ無線信号を利用して送信するＷＵＲモード移行パケットは、アクセスポイント１００１が送信するＷＵ無線信号がステーション１００２（１００３）で受信できるか確認できればよく、このＷＵＲモード移行パケットの宛先が特定できる必要はないため通常のＷＵ無線パケットで使用する無線フレームよりも短い無線フレームを使用しても良い。一例を図２０に示す。図２０（ａ）は図１５に示したＷＵ無線フレームと同様の構造で、同じ符号を配している。図２０（ｂ）はＷＵＲモード移行パケットの無線フレームの構造の一例で、同期部分２２０１、ＭＣＳフィールド２２０２、ＷＵＲモード移行フィールド２２０３、ＦＣＳフィールド２２０４から構成される。このＷＵＲ無線フレームを受信したステーションは、ＦＣＳフィールド２２０４の値を用いてＷＵＲモード移行フィールド２２０３の受信誤りを検出することが出来る。ＷＵＲモード移行フィールド２２０３に含める値はアクセスポイント１００１から送信されたことを判断できる値であれば良く、例えばＢＳＳカラー、アクセスポイント１００１のＭＡＣアドレスの一部やＭＡＣアドレスのハッシュ値、ＷＵＲモード移行パケットに含まれる値などを使用して良い。また、ＷＵＲモード移行フィールドの長さは端末識別子１５０３、カウンタフィールド１５０４、予約フィールド１５０５などを含めたＷＵＲ無線フレームのペイロードより短く手も良く、更に端末識別子フィールド１５０３より短くても良い。
【００９５】
なお、ＷＵ無線信号の送信時に使用するＭＣＳはアクセスポイント１００１が予め設定した値でも良く、また、ＷＵＲモード移行要求パケットに含まれる値によって設定しても良い。
【００９６】
なお、ＷＵＲモードに移行する機能を備えるステーション１００２（１００３）は、ＷＵＲモードを一時的に停止（サスペンド）することができる。ステーション１００２（１００３）は、１６０２において、アクセスポイント１００１に送信する応答フレームに、ＷＵＲモードを一時的に停止することを示す情報を含めることができる。ステーション１００２（１００３）は、１６０２において、アクセスポイント１００１に送信する応答フレームに、ＷＵＲモードへの移行を拒絶することを示す情報を含めることができる。アクセスポイント１００１は、ステーション１００２（１００３）より、ＷＵＲモードを一時的に停止することを示す情報や、ＷＵＲモードへの移行を拒絶する情報を含む応答フレームを受信した場合、ステーション１００２（１００３）に対して、ＷＵＲフレームの送信
は行わない。なお、ステーション１００２（１００３）は、必ずしも、アクセスポイント１００１から送信されるＷＵＲモードへの移行を示す情報を含むフレームへの応答フレームに対して、上述したＷＵＲモードを一時的に停止することを示す情報を含める必要はなく、ステーション１００２（１００３）から、自発的に、アクセスポイント１００１に、該フレームを送信することもできる。
【００９７】
なお、アクセスポイント１００１は、１６０１で送信するフレームを、複数のステーションに同時に送信することができる。アクセスポイント１００１は、１６０１で送信するフレームに、各ステーションが１６０２で送信する応答フレームに設定する無線リソースを示す情報を含めることができる。該無線リソースは、アクセスポイント１００１が設定する通信帯域幅を複数の帯域に分割したリソースユニットである。そのため、アクセスポイント１００１は、１６０１でフレームを送信する際に、１６０２の応答フレームを考慮したＴＸＯＰを確保する。アクセスポイント１００１が１６０１において、複数のステーションに対してフレームを送信した場合、アクセスポイント１００１は、該複数のステーションの少なくとも１つから、１６０２において、応答フレームを受信した場合、１６０４のＷＵＲフレームの送信に移行する。アクセスポイント１００１は、１６０２において、該複数のステーションの全てから、応答フレームを受信しなかった場合、上述してきた回復手順に移行する。
【００９８】
なお、ステーション１００２（１００３）が上述してきたＷＵＲモードへの移行手続きが実施される前に、ＷＵＲモードへの移行および無線ＬＡＮモードへの復帰が設定されている場合（例えば、ステーション１００２（１００３）が周期的にＷＵＲモードへの移行および無線ＬＡＮモードへの復帰が設定されており、その周期等が設定されている場合）、ステーション１００２（１００３）は１６０２の応答フレームを送信を行なわなくてもよいし、１６０２の応答フレームに、ステーション１００２（１００３）がＷＵＲモードへの移行および無線ＬＡＮモードへの復帰手続きが既に設定されていることを示す情報を含めることができる。
【００９９】
以上のように動作する事で、ステーション１００２（１００３）は待機状態（ＷＵＲモード）移行する前にＷＵ無線信号が到達する事を確認する事が可能となり、待機状態に移行後ＷＵ無線フレームの受信に失敗する事を大幅に減らす事が可能となる。
【０１００】
（第２の実施形態）
第１の実施形態では無線ＬＡＮ信号の送信電力制御は行っていなかったが、アクセスポイント１００１からＷＵＲモード移行要求パケットを送信する際の無線ＬＡＮ信号の送信電力、もしくはＷＵＲモード移行要求パケットに対する確認応答パケットを送信する際の無線ＬＡＮ信号の送信電力を制御し、ＷＵ無線信号の到達距離と同等の到達距離になるようにしても良い。これにより確認応答パケットを受信できるかどうかでＷＵＲモード移行要求パケットの送受信時にＷＵ無線信号のおおよその到達距離を推定する事が可能となり、第１の実施形態で示したメッセージフローの実行結果がエラーとなる可能性を減らすことが出来る。また、電力制御を適用したＷＵＲモード移行要求パケットの確認応答の結果により、ＷＵＲモード移行要求パケットに含めるＷＵ無線信号のＭＣＳを変え、合わせてＷＵＲモード移行要求パケットの送信電力を変えても良い。
【０１０１】
例えば、ステーション１００２（１００３）は１６０２で、アクセスポイント１００１へ送信する応答フレームに、アクセスポイント１００１がＷＵＲフレームの送信電力を設定する際に参照する情報を含めることができる。ステーション１００２（１００３）は、１６０１で受信したフレームのＲＳＳＩを示す情報や、ステーション１００２（１００３）が所望する受信電力（ターゲット受信電力、ターゲットRSSI）を示す情報を該応答フレームに含めることができる。  
【０１０２】
例えば、ステーション１００２（１００３）は１６０２で、アクセスポイント１００１へ送信する応答フレームに、アクセスポイント１００１が１６０４で送信するＷＵＲフレームに設定するＭＣＳを設定する際に参照する情報を含めることができる。ステーション１００２（１００３）は、所望のＭＣＳや推奨されるＭＣＳを示す情報を該応答フレームに含めることができる。
【０１０３】
以上のように動作する事で、ステーション１００２（１００３）は待機状態（ＷＵＲモード）移行する前にＷＵ無線信号が到達する事を確認する事が可能となり、待機状態に移行後ＷＵ無線フレームの受信に失敗する事を大幅に減らす事が可能となる。
【０１０４】
（第３の実施形態）
図９、図１０、図１１に示したフローを実行する時に、待機状態に移行しているステーションになりすまし、待機状態に移行しているステーションの端末識別子を用いてＰＳ−ｐｏｌｌパケットをなりすましたステーションが送信すると、アクセスポイントから本来送信されるはずのないデータパケットが送信されてしまい、本来の送信先ステーションがそのデータパケットを受信できなくなる場合がある。図９、図１０に示したＷＵＲモード移行要求パケットを使用したシグナリングを行い、待機モードに移行している事が確定しているステーションから送信されるＰＳ−ｐｏｌｌパケットのみを受け付ける事で、このような攻撃が成立する機会を減らす事が可能となる。
【０１０５】
以上のように動作する事で、ステーションが待機状態に移行中にアクセスポイントにある未送信のデータが送信されてしまう可能性を減らし、待機状態を挟んだ通信失敗を減らす事が可能となる。
【０１０６】
（全実施形態共通）
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１０７】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１０８】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステ
ートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一または複数の態様は当該技術による新たな集積回路を用いることも可能である。
【０１０９】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１１０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１１１】
本発明は、無線通信装置に利用可能である。
【符号の説明】
【０１１２】
１００１  アクセスポイント
１００２，１００３  ステーション
１５０１，１７０１，２２０１  同期部分
１５０２，１７０２，２２０２  ＭＣＳフィールド
１５０３，１７０３  端末識別子フィールド
１５０４，１７０４  カウンタフィールド
１５０５，１７０５  予約フィールド
１５０６，１７０６，２２０４  ＦＣＳフィールド
２２０３  ＷＵＲモード移行フィールド
１５１１  ＢＳＳ  ｃｏｌｏｒフィールド
１５１２  アソシエーション識別子フィールド
１５１３  Ｐａｒｔｉａｌ  ＡＩＤフィールド
１４０１，１８０１  レガシー部分
１４０２，１８０２−１〜１８０２−６  ＷＵ無線部分
１２０１，１３１０  プリアンブル生成部
１２０２，１３０２  送信データ制御部
１２０３，１３０３  マッピング部
１２０４，１３０４  ＩＤＦＴ部
１２０５，１３０５  Ｐ／Ｓ変換部
１２０６，１３０６  ＧＩ付加部
１２０７，１３０７  Ｄ／Ａ変換部
１２０８，１３０８  送信ＲＦ部
１２０９，１３０９  アンテナ切替部
１２１０，１３１０  アンテナ部
１２１１，１３１１  受信ＲＦ部
１２１２，１３１２  Ａ／Ｄ変換部
１２１３，１３１３  シンボル同期部
１２１４，１３１４  Ｓ／Ｐ変換部
１２１５，１３１５  ＤＦＴ部
１２１６，１３１６  デマッピング部
１２１７，１３１７  受信データ制御部
１２１８  ＤＳ制御部
１２１９，１３１９  制御部
１３１８  アプリケーションＩＦ部
１３２０  ＬＰＦ部
１３２１  包絡線検波部
１３２２  同期部
１３２３  復調部
【図１】
2020205461.tif 000009
【図２】
2020205461.tif 000010
【図３】
2020205461.tif 000011
【図４】
2020205461.tif 000012
【図５】
2020205461.tif 000013
【図６】
2020205461.tif 000014
【図７】
2020205461.tif 000015
【図８】
2020205461.tif 000016
【図９】
2020205461.tif 000017
【図１０】
2020205461.tif 000018
【図１１】
2020205461.tif 000019
【図１２】
2020205461.tif 000020
【図１３】
2020205461.tif 000021
【図１４】
2020205461.tif 000022
【図１５】
2020205461.tif 000023
【図１６】
2020205461.tif 000024
【図１７】
2020205461.tif 000025
【図１８】
2020205461.tif 000026
【図１９】
2020205461.tif 000027
【図２０】
2020205461.tif 000028